(57)【要約】  映像加工装置は、映像を視聴している視聴者の視聴環境を示す視聴環境情報を取得する。視聴環境情報は、視聴されている映像の表示サイズの情報、映像を表示している表示装置の周囲の明るさの情報、視聴者と表示装置との間の距離の情報などを含む。映像加工装置は、再生されている映像の動き量を低減する基本低減量に対して、視聴環境情報に示される情報に基づく補正をかけ、補正後の低減量で映像を加工する。表示サイズが大きい場合、周囲が暗い場合、視聴者の位置が表示装置に近い場合において、動きを抑制する低減量が大きくなるようにする。
2010109900.tif 000002
【特許請求の範囲】
【請求項１】
再生される映像を加工する映像加工装置であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段を備える
ことを特徴とする映像加工装置。
【請求項２】
前記低減量出力手段は、予め定められた基本低減量を前記視聴環境情報で定まる補正値を用いて調整した調整低減量を前記低減量として出力する
ことを特徴とする請求項１記載の映像加工装置。
【請求項３】
前記視聴環境情報は、前記再生映像を再生する表示装置の映像表示領域のサイズ情報を含み、
前記低減量出力手段は、前記サイズ情報に応じて、前記基本低減量を調整する
ことを特徴とする請求項２記載の映像加工装置。
【請求項４】
前記低減量出力手段は、前記サイズ情報で示される映像表示領域のサイズが予め定められた所定のサイズよりも大きい場合に、前記基本低減量を増加する調整を実行する
ことを特徴とする請求項３記載の映像加工装置。
【請求項５】
前記低減量出力手段は、前記サイズ情報で示される映像表示領域のサイズが大きければ大きいほど前記基本低減量を増加させる調整を実行する
ことを特徴とする請求項３記載の映像加工装置。
【請求項６】
前記低減量出力手段は、前記低減量出力手段は、前記サイズ情報で示される映像表示領域のサイズが大きければ大きいほど、前記動き量の水平成分よりも垂直成分をより大きく前記基本低減量を増加させる調整を実行する
ことを特徴とする請求項３記載の映像加工装置。
【請求項７】
前記視聴環境情報は、前記再生映像を再生する表示装置の周囲の明るさを示す明るさ情報を含み、
前記低減量出力手段は、前記明るさ情報に応じて、前記基本低減量を調整する
ことを特徴とする請求項２記載の映像加工装置。
【請求項８】
前記低減量出力手段は、前記明るさ情報で示される明るさが所定の閾値よりも暗ければ前記基本低減量を増加させる調整を実行する
ことを特徴とする請求項７記載の映像加工装置。
【請求項９】
前記低減量出力手段は、前記明るさ情報で示される明るさが暗ければ暗いほど前記基本低減量を増加させる調整を実行する
ことを特徴とする請求項７記載の映像加工装置。
【請求項１０】
前記低減量出力手段は、前記動き量で示される水平成分と垂直成分とについて、前記動き量の垂直成分の低減量が水平成分の低減量よりも大きくなるように前記基本低減量を調整する
ことを特徴とする請求項７記載の映像加工装置。
【請求項１１】
前記視聴環境情報は、前記再生映像を視聴する視聴者と前記再生映像を再生する表示装置との間の距離に関する視聴者位置情報を含み、
前記低減量出力手段は、前記視聴者位置情報に応じて、前記基本低減量を調整する
ことを特徴とする請求項２記載の映像加工装置。
【請求項１２】
前記低減量出力手段は、前記視聴者位置情報で示される距離が所定の閾値よりも短ければ前記基本低減量を増加させる調整を実行する
ことを特徴とする請求項１２記載の映像加工装置。
【請求項１３】
前記低減量出力手段は、前記視聴者位置情報で示される距離が短ければ短いほど前記基本低減量を増加させる調整を実行する
ことを特徴とする請求項１２記載の映像加工装置。
【請求項１４】
前記低減量出力手段は、前記視聴者位置情報で示される距離が短ければ短いほど、前記動き量の垂直成分の低減量が水平成分の低減量よりもより大きくなるように前記基本低減量を調整する
ことを特徴とする請求項１２記載の映像加工装置。
【請求項１５】
前記低減量出力手段は、前記動き量で示される水平成分と垂直成分とについて、前記基本低減量は、垂直成分用のものと水平成分用のものの２種類を含み、前記垂直成分用の基本低減量は、前記水平成分用の低減量よりも大きい
ことを特徴とする請求項２記載の映像加工装置。
【請求項１６】
前記映像加工装置は、更に、前記記録媒体に記録された映像に対してオーバースキャンを行う際に、前記調整低減量に基づく低減を行った動き量によって定まる切り出し領域を切り出して出力する出力手段を備える
ことを特徴とする請求項１記載の映像加工装置。
【請求項１７】
映像再生装置が再生する映像を加工する映像加工方法であって、
再生映像における２以上のフレーム間の動きに関する動き情報を取得する動き情報取得ステップと、
前記再生映像を視聴する視聴者の視聴環境を示す視聴環境情報を取得する視聴環境情報取得ステップと、
前記視聴環境情報に基づいて、前記動き情報で定まる動き量を低減するための低減量を出力する低減量出力ステップと、
前記低減量を用いて、前記再生映像を加工する加工ステップとを含む
ことを特徴とする映像加工方法。
【請求項１８】
再生される映像を加工する映像加工集積回路であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段を備える
ことを特徴とする映像加工集積回路。
【請求項１９】
再生される映像を加工して出力する映像再生装置であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段と、
前記加工手段により加工された再生映像を出力する出力手段とを備える
ことを特徴とする映像再生装置。
【発明の詳細な説明】
【技術分野】
【０００１】
本発明は映像加工装置、映像再生装置に関し、特に映像酔い防止技術に関する。
【背景技術】
【０００２】
近年、部品の小型化、高密度実装化などの技術向上により、ムービーカメラなどの記録装置は、小型化、軽量化が進んでいる。また、同時に、高倍率レンズを搭載することによって、より細密な画像の撮影が可能となっている。【０００３】
しかし、機器の小型化と、高倍率レンズの搭載は、撮影時の手ぶれを生じやすくしている。【０００４】
そこで、この手ぶれを軽減するための機能を搭載したデジタルカメラ、ムービーカメラが一般的となっており、この手ぶれ補正には様々な種類がある。【０００５】
例えば、純電子式画像ぶれ防止機能では、ＣＣＤ（Charge Coupled Device）の出力画像から動きを検出し、フィードメモリに蓄えた画像を、検出した動きの動きベクトルに応じて、Ｈ（Horizontal）方向、Ｖ（Vertical）方向の動きを加減して出力する。【０００６】
また、鏡筒制御型手ぶれ防止機能では、鏡筒内に複数のレンズを備え、当該レンズ群の中に２軸の動作機構を持った慣性振り子状の補正レンズを配し、手ぶれによって発生する画像のぶれを打ち消す。【０００７】
その他には、大面積撮像素子によるぶれ防止機能では、通常の有効画面範囲（画面サイズ）よりも広いエリアの撮像素子を用い、加速度センサなどにより動きを検出し、当該加速度センサの出力する信号に基づいて撮像素子における画面サイズ分の画素の読み出し開始位置を制御する。【０００８】
また、撮影装置側ではなく再生装置側でぶれを補正する方法もあり、再生画像による電子式ぶれ防止機能では、ビデオ出力の再生画像から動きを検出し、フィールドメモリに蓄えた画像をその動きベクトルに応じて読み出し位置を決定し、メモリから読み出して制御する。【０００９】
特許文献１には、再生画像による電子式手ぶれ防止の一手法が開示され、再生装置が接続されているテレビのオーバースキャン量に応じて、適切な手ぶれ防止を行っている。
【先行技術文献】
【特許文献】
【００１０】
【特許文献１】特開平７−１４３３３８号公報
【発明の概要】
【発明が解決しようとする課題】
【００１１】
ところで、近年、低価格の大型テレビが普及し、以前に比べて大画面で撮像した画像を視聴する機会が増加している。この場合、映像を大画面で視聴した場合、視聴者に所謂映像酔いと呼ばれる症状が発生しやすくなるという問題が発生する。【００１２】
上述した特許文献１に記載の構成では、オーバースキャン量を加味しての、ぶれによる画像劣化の度合いを最小限に留めることはできる、即ち、高精度の画像を出力することができるものの、視聴者の映像酔いを抑制することまではできないという問題を抱えている。【００１３】
そこで、本発明は、上記問題に鑑みてなされたものであり、映像の再生時に視聴者の映像酔いを低減できる映像加工装置及び映像再生装置を提供することを目的とする。
【課題を解決するための手段】
【００１４】
上記課題を解決するため、本発明に係る映像加工装置は、再生される映像を加工する映像加工装置であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段を備えることを特徴としている。【００１５】
また、本発明に係る映像加工方法は、映像再生装置が再生する映像を加工する映像加工方法であって、再生映像における２以上のフレーム間の動きに関する動き情報を取得する動き情報取得ステップと、前記再生映像を視聴する視聴者の視聴環境を示す視聴環境情報を取得する視聴環境情報取得ステップと、前記視聴環境情報に基づいて、前記動き情報で定まる動き量を低減するための低減量を出力する低減量出力ステップと、前記低減量を用いて、前記再生映像を加工する加工ステップとを含むことを特徴としている。【００１６】
また、本発明に係る集積回路は、再生される映像を加工する映像加工集積回路であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段を備えることを特徴としている。【００１７】
また、本発明に係る映像再生装置は、再生される映像を加工して出力する映像再生装置であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段と、前記加工手段により加工された再生映像を出力する出力手段とを備えることを特徴としている。
【発明の効果】
【００１８】
上述のような構成によって、映像を視聴する視聴者の視聴環境に応じた映像の加工が行えるので、映像を視聴する視聴者の映像酔いを抑制することができる。【００１９】
また、前記低減量出力手段は、予め定められた基本低減量を前記視聴環境情報で定まる補正値を用いて調整した調整低減量を前記低減量として出力することとしてもよい。【００２０】
基本低減量を定めることにより、当該基本低減量に応じた補正を行うことができるので、例えば、視聴者の映像酔いのしやすさに応じて、基本低減量を変更すれば、視聴者の映像酔いのしやすさに応じた低減量の決定も可能となる。【００２１】
また、前記視聴環境情報は、前記再生映像を再生する表示装置の映像表示領域のサイズ情報を含み、前記低減量出力手段は、前記サイズ情報に応じて、前記基本低減量を調整することとしてもよい。【００２２】
また、前記低減量出力手段は、前記サイズ情報で示される映像表示領域のサイズが大きければ大きいほど前記基本低減量を増加させる調整を実行することとしてもよい。【００２３】
これにより、映像加工装置は、映像サイズに応じた補正を行うことができる。映像サイズが大きければ大きいほど、映像酔いをしやすくなるので、これによって、視聴者の映像酔いを防止できる。【００２４】
また、前記低減量出力手段は、前記サイズ情報で示される映像表示領域のサイズが予め定められた所定のサイズよりも大きい場合に、前記基本低減量を増加する調整を実行することとしてもよい。【００２５】
これにより、映像加工装置は、映像サイズについては、特に所定のサイズ以上になると特に映像酔いがしやすくなるので、これによって、一定の閾値を超えているかどうかによる単純な判断機構で、映像サイズに基づく補正を実行することができる。【００２６】
また、前記低減量出力手段は、前記低減量出力手段は、前記サイズ情報で示される映像表示領域のサイズが大きければ大きいほど、前記動き量の水平成分よりも垂直成分をより大きく前記基本低減量を増加させる調整を実行することとしてもよい。【００２７】
これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。【００２８】
また、前記視聴環境情報は、前記再生映像を再生する表示装置の周囲の明るさを示す明るさ情報を含み、前記低減量出力手段は、前記明るさ情報に応じて、前記基本低減量を調整することとしてもよい。【００２９】
また、前記低減量出力手段は、前記明るさ情報で示される明るさが暗ければ暗いほど前記基本低減量を増加させる調整を実行することとしてもよい。【００３０】
これにより、映像加工装置は、周囲の明るさに応じた補正を行うことができる。暗ければ暗いほど、映像酔いをしやすくなるので、これによって、視聴者の映像酔いを防止できる。【００３１】
また、前記低減量出力手段は、前記明るさ情報で示される明るさが所定の閾値よりも暗ければ前記基本低減量を増加させる調整を実行することとしてもよい。【００３２】
これにより、映像加工装置は、明るさについては、特に所定の明るさ以下になると特に映像酔いがしやすくなるので、これによって、一定の閾値を超えているかどうかによる単純な判断機構で、明るさに基づく補正を実行することができる。【００３３】
また、前記低減量出力手段は、前記動き量で示される水平成分と垂直成分とについて、前記動き量の垂直成分の低減量が水平成分の低減量よりも大きくなるように前記基本低減量を調整することとしてもよい。【００３４】
これにより、暗くなればなるほど、これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。【００３５】
また、前記視聴環境情報は、前記再生映像を視聴する視聴者と前記再生映像を再生する表示装置との間の距離に関する視聴者位置情報を含み、前記低減量出力手段は、前記視聴者位置情報に応じて、前記基本低減量を調整することとしてもよい。【００３６】
また、前記低減量出力手段は、前記視聴者位置情報で示される距離が短ければ短いほど前記基本低減量を増加させる調整を実行することとしてもよい。【００３７】
これにより、映像加工装置は、視聴者位置に応じた補正を行うことができる。視聴者位置が映像を表示する表示装置に近ければ近いほど、映像酔いをしやすくなるので、これによって、視聴者の映像酔いを防止できる。【００３８】
また、前記低減量出力手段は、前記視聴者位置情報で示される距離が所定の閾値よりも短ければ前記基本低減量を増加させる調整を実行することとしてもよい。【００３９】
これにより、映像加工装置は、視聴者距離については、特に所定の距離よりも近くなると特に映像酔いがしやすくなるので、これによって、一定の閾値を超えているかどうかによる単純な判断機構で、映像サイズに基づく補正を実行することができる。【００４０】
また、前記低減量出力手段は、前記視聴者位置情報で示される距離が短ければ短いほど、前記動き量の垂直成分の低減量が水平成分の低減量よりもより大きくなるように前記基本低減量を調整することとしてもよい。【００４１】
これにより、距離が近くなればなるほど、これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。【００４２】
また、前記低減量出力手段は、前記動き量で示される水平成分と垂直成分とについて、前記基本低減量は、垂直成分用のものと水平成分用のものの２種類を含み、前記垂直成分用の基本低減量は、前記水平成分用の低減量よりも大きいこととしてもよい。【００４３】
これにより、水平成分よりも垂直成分をより大きく低減させることができるので、より映像酔いを発症しにくくなる。これは、水平方向のブレよりも、垂直方向に対するブレの方が映像酔いを発症しやすいためである。【００４４】
また、前記映像加工装置は、更に、前記記録媒体に記録された映像に対してオーバースキャンを行う際に、前記調整低減量に基づく低減を行った動き量によって定まる切り出し領域を切り出して出力する出力手段を備えることとしてもよい。【００４５】
これにより、映像加工装置は、低減量を補正して、補正後の低減量で定まる動き量に基づくオーバースキャン切り出し領域で切り出した映像データを出力するので、当該映像データを視聴した視聴者は、映像酔いをしにくくなる。
【図面の簡単な説明】
【００４６】
【図１】映像再生装置の使用形態を示すシステム図である。
【図２】映像再生装置の機能構成を示す機能ブロック図である。
【図３】映像表示装置の機能構成を示す機能ブロック図である。
【図４】映像撮影装置の機能構成を示す機能ブロック図である。
【図５】映像再生装置における映像加工装置の機能構成を示す機能ブロック図である。
【図６】映像撮影装置におけるぶれ補正に係る機能構成を示す機能ブロック図である。
【図７】映像の動き低減加工処理の手順の一例を示すフローチャートである。
【図８】表示領域サイズに基づく映像の動き量を低減する低減量の調整量を算出するフローチャートである。
【図９】明るさに基づく映像の動き量を低減する低減量の調整量を算出するフローチャートである。
【図１０】視聴者位置に基づく映像の動き量を低減する低減量の調整量を算出するフローチャートである。
【図１１】動き量の加工例を示すための説明図である。
【発明を実施するための形態】
【００４７】
以下、本発明の一実施形態である映像加工装置及び当該映像加工装置が搭載される映像再生装置について図面を用いて説明する。
【００４８】
図１は、映像再生装置１００の使用形態を示す図である。
【００４９】
映像再生装置１００は、例えば、ＢＤ（Blu-ray Disc）プレーヤ、ＤＶＤ（Digital Versatile Disc）プレーヤなどに代表される再生装置であり、ＢＤ−ＲＯＭ、ＤＶＤ−ＲＯＭなどの記録媒体に記録された映像や、受信した映像を再生する。映像再生装置１００は、映像表示装置２００及び映像撮影装置３００にＨＤＭＩケーブルなどを介して接続される。
【００５０】
映像表示装置２００は、例えば、デジタルテレビなどに代表される表示装置である。また、映像撮影装置３００は、例えば、デジタルムービーカメラである。映像撮影装置３００で撮影された映像が記録媒体ディスク４００に記録され、記録媒体ディスク４００が映像再生装置１００のドライブに挿入されて再生される。
【００５１】
映像再生装置１００は、記録媒体ディスク４００から読み出した映像データで示される映像の動きを、映像表示装置２００が取得した視聴者の視聴環境情報（ディスプレイサイズ、明るさなど）に基づいて補正して、補正後の映像データを映像表示装置２００に出力する。
【００５２】
図２は映像再生装置１００の機能構成を示した機能ブロック図である。
【００５３】
図２に示すように、映像再生装置１００は、ＣＰＵ（Central Processing Unit）１０１と、メモリ１０２と、ＨＤＭＩ（High-Definition Multimedia Interface）１０３と、ネットワーク通信部１０４と、ディスクドライブ１０５と、デコーダ１０６と、映像処理部１０７とを含んで構成される。映像再生装置１００の各部は、内部バス１０８を介して互いに接続されている。
【００５４】
ＣＰＵ１０１は、映像再生装置１００の各部を制御するものであり、特に、映像を再生する際に、視聴者の映像酔いを防止するために、再生する映像のフレーム間の動き量を低減するための低減量を決定する機能を有する。ＣＰＵ１０１は、映像再生装置２００から取得した視聴者の視聴環境（再生する映像の表示サイズ、周囲の明るさ、ディスプレイから視聴者までの距離）を示す視聴環境情報に基づいて、それぞれの視聴環境に応じて、低減量の補正値を求め、求めた各補正値を基本低減量に加算して調整後の調整低減量を、内部バス１０８を介して映像処理部１０７に出力する。
【００５５】
メモリ１０２は、映像再生装置１００の動作上必要とされる各種のプログラムやデータを記憶する機能を有し、ＲＯＭ（Read Only Memory）及びＲＡＭ（Random Access Memory）を備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００５６】
ＨＤＭＩ１０３は、ＨＤＭＩケーブルとの接続インターフェースであり、映像表示装置２００への映像信号の出力を行うなど、映像表示装置２００との間のデータ送受信を実行する機能を有する。
【００５７】
ネットワーク通信部１０４は、ＬＡＮケーブルなどのネットワーク通信部回線との接続インターフェースであり、映像再生装置１００と映像表示装置２００との間でのデータ送受信を行う。
【００５８】
ドライブ１０５は、記録媒体ディスク４００を装着して、ＣＰＵ１０１からの指示に従い、記録媒体ディスク４００からデータを読み出して出力する機能と、ＣＰＵ３０１から出力されたデータを記録媒体ディスク４００に書き込む機能とを有する。
【００５９】
デコーダ１０６は、再生対象の映像データをデコードし、デコード後の映像データを出力する機能を有する。
【００６０】
映像処理部１０７は、デコーダ１０６がデコードした後の映像データを受け取り、映像全体の動きを打ち消す加工処理を行う機能を有する。
【００６１】
図３は、映像表示装置２００の機能構成を示す機能ブロック図である。
【００６２】
図３に示すように、映像表示装置２００は、ＣＰＵ２０１と、メモリ２０２と、センサ２０３と、ディスプレイ２０４と、ＨＤＭＩ２０５と、ネットワーク通信部２０６とを含んで構成される。映像表示装置２００の各部は、内部バス２０７を介して互いに接続されている。
【００６３】
ＣＰＵ２０１は、映像表示装置２００の各部を制御する機能を有する。また、ＣＰＵ２０１は、映像を再生している場合に、当該映像の表示サイズを映像表示装置２００のディスプレイサイズ（インチ情報）と、表示モード（フル画面再生、縮小動画再生（１／２倍縮小であれば、縦横とも０．５倍、１／４倍縮小であれば縦横とも０．２５倍など））とから求まる表示サイズの情報を逐次ＨＤＭＩ１２０５又はネットワーク通信部２０６を介して映像再生装置１００に伝達する機能も有する。
【００６４】
メモリ２０２は、映像表示装置２００の動作上必要とされる各種のプログラムやデータを記憶する機能を有し、ＲＯＭ及びＲＡＭを備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００６５】
センサ２０３は、視聴環境の明るさや、視聴者の位置を測定する機能を有し、照度センサや、超音波センサなどからなる。本実施の形態においては、照度センサで映像表示装置２００の周辺の明るさを測定し、超音波センサで音波の反射を用いて映像表示装置２００と視聴者間の距離を測定する機能を有する。センサ２０３は、測定した明るさを明るさ情報として、映像表示装置２００と視聴者間の距離を視聴者位置情報として、ＨＤＭＩ１２０５又はネットワーク通信部２０６を介して、映像再生装置１００に伝達する。
【００６６】
ディスプレイ２０４は、映像を表示する装置であり、例えばＬＣＤ（Liquid Crystal Display）である。
【００６７】
ＨＤＭＩ２０５は、ＨＤＭＩケーブルとの接続インターフェースであり、映像再生装置１００から映像信号を受信する機能を有する。
【００６８】
ネットワーク通信部通信部２０６は、ＬＡＮケーブルなどのネットワーク回線との接続インターフェースであり、映像再生装置１００と映像表示装置２００との間のデータの送受信を実行する機能を有する。
【００６９】
図４は、映像撮影装置３００の機能構成を示す機能ブロック図である。
【００７０】
図４に示すように、ＣＰＵ３０１と、メモリ３０２と、加速度センサ３０３と、ドライブ３０４と、デコーダ３０５と、エンコーダ３０６と、カメラ３０７とを含んで構成される。映像撮影装置３００の各部は、内部バス３０８を介して互いに接続されている。
【００７１】
ＣＰＵ３０１は、映像撮影装置３００の各部を制御する機能を有する。
【００７２】
メモリ３０２は、映像撮影装置３００の動作上必要とされる各種のプログラムやデータを記憶する機能を有し、ＲＯＭ及びＲＡＭを備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００７３】
加速度センサ３０３は、カメラ３０７の動きを測定する機能を有し、測定した加速度値を内部バス３０８に出力する機能を有する。
【００７４】
ドライブ３０４は、記録媒体ディスク４００を装着して、ＣＰＵ３０１からの指示に従い、記録媒体ディスク４００からデータを読み出して出力する機能と、ＣＰＵ３０１から出力されたデータを記録媒体ディスク４００に書き込む機能とを有する。記録媒体ディスク４００に記録されている映像データは、エンコーダ３０６により符号化された後の映像データである。
【００７５】
デコーダ３０５は、メモリ３０２または記録媒体ディスク４００に記録した映像データを映像撮影装置３００で再生する際に、再生対象の映像データをデコードし、デコード後の映像データを出力する機能を有する。
【００７６】
エンコーダ３０６は、メモリ３０２に記録されている映像データを符号化し、符号化後の映像データを出力する機能を有する。
【００７７】
カメラ部３０７は、レンズやＣＣＤなどからなり、撮影処理を行い、撮影した映像データをメモリ３０２に記録する機能を有する。
【００７８】
図５は、映像再生装置１００で行われる映像加工処理を実行するための機能部を示した機能ブロック図である。
【００７９】
映像加工手段５００は、取得手段５１０と、視聴環境情報記憶手段５２０と、動き情報検出手段５３０と、低減量出力手段５７０と、動き低減加工手段５８０とを含んで構成される。取得手段５１０、動き情報検出手段５３０、低減量出力手段５７０は、ＣＰＵ１０１のソフトウェア処理により実現され、動き低減加工手段５８０は、映像処理部１０７により実現される。
【００８０】
取得手段５１０は、ＨＤＭＩ１０３のＣＥＣ（Consumer Electronics Control）機能、もしくはネットワーク通信部１０４を介して、映像表示装置２００から、逐次、視聴環境情報を取得し、取得した視聴環境情報を視聴環境情報記憶手段５２０に記録する機能を有する。
【００８１】
視聴環境情報記憶手段５２０は、視聴者の映像酔いを定める指標となる視聴環境情報として、表示領域サイズ情報５２１と、明るさ情報５２２と、視聴者位置情報５２３とを保持する機能を有する。
【００８２】
表示領域サイズ情報５２１は、映像表示装置２００において再生されている映像の表示サイズの情報や、映像を縮小表示している場合の表示位置の情報を含む。表示サイズの情報は、映像表示装置２００のディスプレイサイズに映像の再生サイズ（フル画面再生、縮小動画再生など）を積算する（フル画面再生なら１倍、縮小動画再生の場合には縮小サイズに応じた倍率、例えば１／２縮小再生の場合には、０．５倍）ことにより定まる表示サイズのことである。ハイビジョン解像度などの高精細な映像を大画面で視聴した場合に、視聴者は映像酔いを発症しやすくなるため、表示領域サイズ情報５２１を用いての補正を行う。
【００８３】
明るさ情報５２２は、映像表示装置２００の周囲の明るさを測定して得られる照度情報である。これは、視聴者が暗い場所で、映像を視聴すると映像酔いを発症しやすくなるため、明るさ情報５２２を用いての補正が行われる。
【００８４】
視聴者位置情報５２３は、映像表示装置２００から視聴者までの距離を示す情報である。視聴者の映像が表示されているスクリーンまでの距離が近ければ近いほど、映像酔いを発症しやすくなるため、視聴者位置情報５２３を用いての補正が行われる。
【００８５】
動き情報検出手段５３０は、記憶手段５４０に記憶されている映像データから、フレーム間の動き量を検出して、動き低減加工手段５８０に出力する機能を有する。当該動き量は、デコード映像データにおいて、フレーム間のオーバースキャン切り出し領域で示される領域の変化量に相当する。なお、動き情報検出手段５３０は、記録媒体ディスク４００に撮影時のブレ情報もともに記録されていた場合には、当該ブレ情報が、動き量に相当するので、これを動き量として出力する。また、動き情報検出手段５３０は、映像データに付属情報として、ＭＰＥＧ符号中の動きベクトルが付属している場合には、当該動きベクトルを動き量として検出する。また、動き情報検出手段５３０は、映像フレームデータの解析で動き量を検出する場合には、前回のフィールド画像と今回のフィールド画像の間でマッチング演算を実行して、それらの間の差分を求めることにより１フィールド間の動き量を検出する。
【００８６】
低減量出力手段５７０は、視聴環境情報記憶手段５２０から、各視聴環境情報を取得して、各視聴環境情報に応じて、低減量の調整量の補正値を決定し、当該補正値を動き低減加工手段５７０に通知する機能を有する。低減量出力手段５７０は、予め動き量をどれだけ減少させるのかを示す基準値（基本低減量ともいう）を記憶しており、決定した補正値を当該基本低減量に加味した補正値（調整低減量ともいう）を動き低減加工手段５８０に出力する。
【００８７】
動き低減加工手段５８０は、低減量出力手段５７０から低減量の調整量の補正値を取得し、当該補正値を用いて、動き情報検出手段５３０から取得した動き量を調整した映像を生成し、映像バッファ５６０に格納する機能を有する。
【００８８】
記憶手段５４０は、記憶媒体ディスク４００に相当し、再生対象の映像データ及び付属情報を記憶している。なお、記憶手段５４０に格納されている映像データは、映像撮影装置３００でブレ低減処理済みである場合がある。この場合、記憶手段５４０は、再生撮影装置３００で検出したブレ情報及び低減処理した低減済みブレ情報を、対応する映像データと共に記憶してもよい。なお、付属情報とは、対応する映像データに関連する管理情報、メタ情報などである。  
【００８９】
映像再生手段５５０は、デコーダ１０６に相当し、記憶手段５４０に記憶している映像データをデコードし、デコード後の映像データを映像バッファ５６０に格納する。
【００９０】
映像バッファ５６０は、メモリ１０２に相当し、映像再生手段５５０がデコードした後の映像データを記憶する。
【００９１】
映像出力手段５９０は、映像バッファ５６０から、デコード後の映像データまたは映像全体の動きを打ち消す加工処理後の映像データを取得し、映像信号にして出力する。映像出力手段５９０は、ＣＰＵ１０１にて実施される処理であって、ＨＤＭＩ端子１０３を介して映像表示装置２００への出力を行う。
【００９２】
図６は、映像撮影装置２００で行われる映像加工処理を実行する映像加工手段６００の機能構成を示した機能ブロック図である。当該図面に示す映像加工手段は、本実施の形態においては、ＣＰＵ２０１によるソフトウェア処理により実現されるものとする。
【００９３】
図６に示すように、映像加工手段６００は、撮影手段６１０と、ブレ低減手段６２０と、ブレ情報検出手段６３０と、映像バッファ６４０と、映像符号化手段６５０と、低減済みブレ情報記録手段６６０と、映像記録手段６７０と、ブレ情報記録手段６８０と、記憶手段６９０とを備えている。
【００９４】
撮影手段６１０は、カメラ部３０７に相当し、撮影した映像データを映像バッファ１３１４に格納する機能を有する。
【００９５】
ブレ情報検出手段６３０は、加速度センサ３０３に相当し、撮影手段６１０で撮影された映像の動きを検出し、検出した手ブレの方向と量とをブレ情報として、ブレ低減手段６２０に通知する機能を有する。
【００９６】
ブレ低減手段６２０は、ＣＰＵ３０１にて実施される処理に相当し、カメラ部３０７のＣＣＤからの読み出し位置や映像バッファの読み出し位置・書出し位置の調整、カメラ部３０７の制御などによりブレ補正を行う機能を有する。なお、基本的な手ブレ補正技術については従来技術であるため、ここでは詳細な説明は省略する。
【００９７】
映像バッファ６４０は、メモリ３０５に相当し、撮影手段６１０が撮影した映像データを一時的に記憶する機能を有する。
【００９８】
映像符号化手段６５０は、エンコーダ３０６に相当し、映像バッファ６４０に記憶されている映像データを符号化し、符号化した映像データを映像記録手段６７０に出力する機能を有する。
【００９９】
映像記録手段６７０は、ＣＰＵ３０１にて実施される処理であって、映像符号化手段６５０が符号化した映像データを受け取り、記憶手段６９０に格納する機能を有する。
【０１００】
ブレ情報記録手段６８０は、ＣＰＵ３０１にて実施される処理であって、ブレ情報検出手段６３０が検出したブレ情報を受け取り、記憶手段６９０に格納する機能を有する。
【０１０１】
低減済みブレ情報記録手段６６０は、ＣＰＵ３０１にて実施される処理であって、撮影時に手ブレ補正を行った際、ブレ低減手段６２０がブレ補正した低減済みブレ情報を受け取り、記憶手段６９０に格納する。
【０１０２】
記憶手段６９０は、ブレ情報検出手段６３０が検出したブレ情報、及びブレ低減手段６２０が低減した低減済みブレ情報を、符号化した映像とともに、記憶媒体４００に記録する機能を有する。また、これらの情報は、時刻と動きベクトルとのテーブルとして時系列に記録される。なお、ブレ情報及び低減済みブレ情報については、時刻と動きベクトルのテーブルを、映像データとは別ファイルにて記録してもよいし、映像データ中（例えばＴＳパケット中）に埋め込む形で記録してもよい。
【０１０３】
以上の構成により、映像撮影装置３００は、撮影時のブレ情報と低減済みブレ情報を、映像データと共に、記録媒体ディスク４００を用いて、映像再生装置１００に提供することができる。
＜動作＞
次に、本実施の形態に係る映像撮影装置及び映像加工装置の動作について図７〜図１０に示すフローチャートを用いて説明する。
【０１０４】
まず、図７に示すフローチャートを用いて、単位時間当たりの映像の加工における全体的な流れを説明した後に、当該全体的な流れの中の、各視聴環境情報を用いた低減量を補正する補正値の決定の手法について、図８〜図１０のフローチャートを用いて説明する。
【０１０５】
図７は、単位時間当たりの映像加工処理を示すフローチャートである。当該フローチャートに従って映像再生装置１００が動作することにより、映像の加工、即ち動き量の低減が行われる。図７に示すフローチャートは映像が再生されている間に逐次行われ、現在再生している映像の次又はその先において再生すべき映像データの加工が行われる。
【０１０６】
映像再生手段５５０が、処理を開始し、記憶手段５４０に記憶されている再生対象の映像データをデコードした後、デコード後の映像データを映像バッファ５６０に格納しているものとする。また、取得手段５１０は、映像再生装置２００から逐次、視聴環境情報を取得しており、視聴環境情報記憶手段５２０には、現在の視聴環境における各視聴環境情報が記憶されているものとする。
【０１０７】
動き情報検出手段５３０は、記憶手段５４０に記憶されている映像データ及びその付属情報を解析する、もしくは映像バッファ５６０に展開された映像フレームデータを解析することにより、各フレームの動き情報を検出する。映像データの解析による動きデータの検出では、ＭＰＥＧ符号中の動きベクトルデータを読み出す。映像バッファ５６０に展開された映像フレームデータを解析する場合には、前回のフィールド画像と今回のフィールド画像の間でマッチング演算を実行し、それらの間の差分を求めることにより１フィールド間の動き量を検出する。
【０１０８】
なお、映像酔いは、主に人間の三半規管の入力と視覚からの入力の間でのずれが大きくなった時に発生することが知られている。特に、映像酔いを引き起こしやすい動きは、０．１Ｈｚから３Ｈｚの比較的低周波の動きであり、１フィールド（１／６０秒）よりもゆっくりとした動きとなる。このため、前述したフレームごとの動き量を算出するのみでなく、２０〜１２０フレームにわたっての動き量も測定する必要がある。
【０１０９】
これは、映像バッファ５６０に一定時間前（例えば１秒前）のフレームデータを保持し続けるようにし、このフレーム映像との間での動き量を検出することによって実現する。また、映像バッファ５６０が、２０〜１２０枚の映像を保持し続けることによって実現しても構わないし、パンニング検知、ティルティング検知、の処理方法を用いて実現してもよい。
【０１１０】
また、ＭＰＥＧ符号中の動きベクトルデータを利用する場合には、各フレームの動きベクトルデータだけでなく、過去の一定時間（例えば１秒間）にわたっての動きベクトルの総和を保持することによってこれを行う。
【０１１１】
映像再生装置１００の動き情報検出手段５３０は、単位時間当たり（例えば、１０フレーム分）の動き量を取得する（ステップＳ７０１）。
【０１１２】
低減量出力手段５７０は、予めメモリに記憶している垂直方向及び水平方向それぞれの基本となる基本低減量を取得する（ステップＳ７０２）
また、低減量出力手段５７０は、視聴環境情報記憶手段５２０から表示領域サイズ情報５２１を取得する。そして、低減量出力手段５７０は、表示領域サイズ情報５２１に基づいた基本低減量を補正するための補正値を求める（ステップＳ７０３）。当該補正値の求め方の詳細については、図８に示すフローチャートを用いて後述する。
【０１１３】
次に、低減量出力手段５７０は、視聴環境情報記憶手段５２０から明るさ情報５２２を取得する。そして、低減量出力手段５７０は、明るさ情報５２２に基づいた基本低減量を補正するための補正値を求める（ステップＳ７０４）。当該補正値の求め方の詳細については、図９に示すフローチャートを用いて後述する。
【０１１４】
そして、低減量出力手段５７０は、視聴環境情報記憶手段５２０から視聴者位置情報５２３を取得する。そして、低減量出力手段５７０は、視聴者位置情報５２３に基づいた基本低減量を補正するための補正値を求める（ステップＳ７０５）。当該補正値の求め方の詳細については、図１０に示すフローチャートを用いて後述する。
【０１１５】
低減量出力手段５７０は、ステップＳ７０３〜ステップＳ７０５において取得した各補正値を足し合わせて得られる補正値を基本低減量から減算して得られる調整低減量を動き低減加工手段５８０に出力する（ステップＳ７０６）。
【０１１６】
動き低減加工手段５８０は、取得した調整低減量に基づいて、切り出すべき加工後のオーバースキャン切り出し領域を決定し、映像バッファ５６０に伝達する。
【０１１７】
映像再生手段５５０は、記憶手段５４０に記憶されているデータをデコードし、再生映像の時間軸に従って、デコード映像データを映像バッファ５６０に書き込む。
【０１１８】
映像バッファ５６０は、動き低減加工手段５８０から伝達された加工後動き量で示される動き量の終点を中心とするオーバースキャン切り出し領域をデコード映像データから切り出して映像出力手段５９０に出力する。
【０１１９】
映像出力手段５９０は、映像バッファ５６０から出力された映像データを映像表示装置２００にＨＤＭＩ１０３を介して出力し、映像表示装置２００は当該映像データに基づく映像を表示する（ステップＳ７０７）。これを以って、映像表示装置２００では、視聴者の視聴者環境情報に基づいて動き量が補正されて、映像酔いを発症しにくい映像が再生されることとなる。
【０１２０】
仮に、映像サイズが閾値Ｌ２よりも大きく、明るさが閾値Ｌ１よりも上且つ閾値Ｌ２以下で、視聴者位置が閾値Ｄ１以下であったとする。すると低減量の補正値は、＋３０％＋１０％−１０％＝３０％となる。そして、仮に、垂直方向の低減量の基準値が６０％、水平方向の低減量の基準値が４０％であったとした場合に、調整後の動き低減量を、垂直方向を９０％（６０％＋３０％＝９０％）、水平方向を７０％（４０％＋３０％＝７０％）とし、動き検出手段５３０が検出した動き量の垂直成分を０．９倍、水平成分を０．７倍した後の加工後動き量を動き量とした場合のオーバースキャン切り出し領域がデコード映像から切り出されて出力される。なお、ここで、加工後動き量は、加工前の動き量の示す方向とは逆方向にはならない、即ち低減量は１００％を超えず、マイナスにもならないものとする。
【０１２１】
以上が、動き量の低減量を求めて映像を加工して出力するまでの動作である。
【０１２２】
図８は、表示領域サイズに基づく映像の動き量を低減する低減量の調整量を算出するフローチャートであり、上述のステップＳ７０３における処理の内容を示している。
【０１２３】
表示領域サイズ情報５２１を視聴環境情報記憶手段５２０から取得した動き低減加工量調整手段５７０は、当該表示領域サイズ情報５２１で示される表示サイズが閾値Ｓ１以下であるかどうかを判定する（ステップＳ８０１）。
【０１２４】
表示サイズが閾値Ｓ１以下であった場合には（ステップＳ８０１のＹＥＳ）、動き低減加工量調整手段５７０は、表示領域サイズに基づく補正量を「−１０％」に決定して（ステップＳ８０５）処理を終了する。
【０１２５】
表示サイズが閾値Ｓ１よりも大きかった場合には（ステップＳ８０１のＮＯ）、動き低減加工量調整手段５０７は、次に、表示サイズが閾値Ｓ２（Ｓ２＞Ｓ１）以下であるかどうかを判定する（ステップＳ８０２）。
【０１２６】
表示サイズが閾値Ｓ１よりも大きく、閾値Ｓ２以下である場合には（ステップＳ８０２のＹＥＳ）、動き低減加工量調整手段５７０は、表示領域サイズに基づく補正量を「＋２０％」に決定して（ステップＳ８０４）処理を終了する。
【０１２７】
表示サイズが閾値Ｓ１よりも大きく、閾値Ｓ２以下でない場合、即ち、表示サイズが閾値Ｓ２よりも大きい場合には（ステップＳ８０２のＮＯ）、動き低減加工量調整手段５７０は、表示領域サイズに基づく補正量を「＋３０％」に決定して（ステップＳ８０３）処理を終了する。
【０１２８】
以上が、図７に示すフローチャートのステップＳ７０３における処理の具体的内容である。なお、本フローチャートにおいて、表示サイズが閾値Ｓ１以下である場合に、補正量を下げる（−１０％とする）のは、この場合には視聴者は映像酔いを発症しにくくなるため、動き量の低減による画像劣化の防止を優先するためである。つまり、映像酔い防止と画像劣化の防止とは互いにトレードオフの関係にあるため、当該処理を実行している。
【０１２９】
図９は、明るさに基づく映像の動き量を低減する低減量の調整量を算出するフローチャートであり、上述のステップＳ７０４における処理の内容を示している。
【０１３０】
明るさ情報５２２を視聴環境情報記憶手段５２０から取得した動き低減加工量調整手段５７０は、当該明るさ情報５２２で示される明るさが閾値Ｌ１以下であるかどうかを判定する（ステップＳ９０１）。
【０１３１】
明るさが閾値Ｌ１以下であった場合には（ステップＳ９０１のＹＥＳ）、動き低減加工量調整手段５７０は、明るさに基づく補正量を「＋３０％」に決定して（ステップＳ９０５）処理を終了する。
【０１３２】
明るさが閾値Ｌ１よりも大きかった場合には（ステップＳ９０１のＮＯ）、動き低減加工量調整手段５０７は、次に、明るさが閾値Ｌ２（Ｌ２＞Ｌ１）以下であるかどうかを判定する（ステップＳ９０２）。
【０１３３】
明るさが閾値Ｌ１よりも大きく、閾値Ｌ２以下である場合には（ステップＳ９０２のＹＥＳ）、動き低減加工量調整手段５７０は、明るさに基づく補正量を「＋１０％」に決定して（ステップＳ９０４）処理を終了する。
【０１３４】
明るさが閾値Ｌ１よりも大きく、閾値Ｌ２以下でない場合、即ち、明るさが閾値Ｌ２よりも大きい場合には（ステップＳ９０２のＮＯ）、動き低減加工量調整手段５７０は、明るさに基づく補正量を「−１０％」に決定して（ステップＳ９０３）処理を終了する。
【０１３５】
以上が、図７に示すフローチャートのステップＳ７０４における処理の具体的内容である。なお、ステップＳ９０５において補正量を下げているのは、上述の図８で説明した理由と同様の理由によるものである。
【０１３６】
図１０は、視聴者位置に基づく映像の動き量を低減する低減量の調整量を算出するフローチャートであり、上述のステップＳ７０５における処理の内容を示している。
【０１３７】
視聴者位置情報５２３を視聴環境情報記憶手段５２０から取得した動き低減加工量調整手段５７０は、当該視聴者位置情報５２３で示される視聴者距離が閾値Ｄ１以下であるかどうかを判定する（ステップＳ１００１）。
【０１３８】
視聴者距離が閾値Ｄ１以下であった場合には（ステップＳ１００１のＹＥＳ）、動き低減加工量調整手段５７０は、視聴者位置に基づく補正量を「＋３０％」に決定して（ステップＳ１００３）処理を終了する。
【０１３９】
視聴者距離が閾値Ｄ１よりも大きかった場合には（ステップＳ１００１のＮＯ）、動き低減加工量調整手段５０７は、視聴者位置に基づく補正量を「−１０％」に決定して（ステップＳ１００２）処理を終了する。
【０１４０】
以上が、図７に示すフローチャートのステップＳ７０５における処理の具体的内容である。なお、ステップＳ１００２において補正量を下げているのは、上述の図８で説明した理由と同様の理由によるものである。
【０１４１】
映像再生装置１００は、図８〜図１０における処理により求められた補正量と、基本低減量とを足し合わせて、最終的な、動き量を調整するための調整低減量が決定され、当該調整低減量に基づいて、動きを低減したあとの動き量に基づいて切り出し領域を決定して表示すべき映像を切り出して、映像表示装置２００に出力する。
＜動き低減加工処理の一例＞
上記図７〜図１０に示したフローチャートに従って動き低減手段５８０が動き低減加工を行った場合の一例を、図１１を用いて説明する。
【０１４２】
動き低減加工手段５８０は、デコード済みの映像データであるデコード映像１１００に対し、動き情報検出手段５３０が検出した動き量を示す動きベクトル１１０６の垂直方向成分１１０７と水平方向成分１１０９とを算出する。
【０１４３】
動き低減加工手段５８０は、算出した垂直方向成分１１０７に、低減量出力手段５７０が出力した垂直成分用の低減量を乗算して、低減すべき動き量の垂直成分１１０８を算出する。
【０１４４】
また、同様に動き低減加工手段５８０は、算出した水平方向成分１１０９に低減量出力手段５７０が出力した水平成分用の低減量を乗算して、低減すべき動き量の水平成分１１１０を算出する。
【０１４５】
即ち、図１１の１１０４が低減すべき動き量となる。
【０１４６】
動き低減加工手段５８０がデコード映像１１００の中心位置１１０１から、１１０４だけずらした位置１１１１を中心とした切り出し（オーバースキャン切り出し領域１１０２の切り出し）処理を行って、オーバースキャン処理を行う。これにより、元のデコード映像１１００は、１１０４の逆方向に動いて表示される。すなわち、元の動きベクトル１１０６から、低減すべき動き量１１０４が減算されデコード映像１１００の動きが低減される。なお、このとき、オーバースキャンによる拡大処理も実行するが、当該拡大処理は、単純な演算であり、従来からも行われていることであるからここではその説明は省略する。
【０１４７】
また、一方向に継続して動作している場合には、ブレ補正におけるパンニング検知、ティルティング検知の処理の場合と同様、単純に動きを打ち消すのではなく、動き始め、動き終わりの打ち消し量を減らすなどの処理も行う。
【０１４８】
以上のように、低減すべき動き量１１０４に基づくオーバースキャン処理が行われて映像が表示されるので、視聴者の映像酔いを低減することができる。
＜まとめ＞
以上実施の形態に示してきたように、映像再生装置１００は、映像表示装置２００から取得した再生映像を視聴する視聴者の視聴者環境に応じて、映像を補正して、表示させるので、画質の劣化は必要最小限に抑えつつも、視聴者の映像酔いを極力抑制することができる。これにより、視聴者の環境に応じた補正を行えるので、従来よりも、ユーザフレンドリィな映像再生装置を提供することができる。
【０１４９】
一般ユーザがハイビジョン解像度にて撮影可能なカメラ一体型録画装置を用いて撮影した映像は、撮影したユーザが不慣れで安定して撮影を行えないなどの理由により、放送やセル販売されている商用コンテンツに比して映像酔いを起こしやすい傾向がある。また、近年、大画面の高画質な薄型テレビも安価になりつつあり、入手しやすくなっているが、視聴者が薄型テレビなど大画面で、高画質な映像を視聴する場合に映像酔いを起こしやすいという傾向もある。本実施の形態に示した映像再生装置は、そのような一般ユーザが撮影した映像を、大画面で視聴する場合に、特に有効となる。
＜補足＞
上記実施の形態において、本発明の実施の手法について説明してきたが、本発明の実施形態がこれに限られないことは勿論である。以下、上記実施形態以外に本発明として含まれる各種の変形例について説明する。
（１）上記実施の形態においては、視聴者環境情報として、表示領域サイズ情報５２１と、明るさ情報５２２と、視聴者位置情報５２３とを例に挙げて説明した。しかし、視聴者環境情報は、視聴者の視聴環境を示す情報であって、映像酔いに関与するものであればよく、上記実施の形態に挙げたもの以外の情報を用いて補正値を求めてもよい。
【０１５０】
例えば、複数の異なる映像を表示する場合、それぞれの映像の動き量は異なるものとなってくるため、その分、視聴者は映像酔いを発症しやすくなる。そこで、視聴者環境情報として異なる映像が再生される場合のその映像数を用いてもよく、映像表示装置２００に表示する映像が複数であるか否かによって、補正量を決定する、即ち、複数の映像を表示させる場合には、低減量の補正量を例えば「＋２０％」、単一の映像を表示する場合には、低減量の補正量を例えば「０」とする補正を行ってもよい。当然に、複数の映像の再生数に応じた閾値によって、補正量をわけてもよい。
【０１５１】
また、視聴者環境情報として、映像表示装置２００のディスプレイの光源、所謂バックライトの照射する明るさの情報を用い、当該明るさの情報によって補正量を定めてもよい。この場合、バックライトの照射する明るさが明るければ明るいほど補正量が大きくなるように設定するとよい。
（２）上記実施の形態においては、映像撮影装置３００であるムービーカメラで撮影した映像を記録媒体ディスク４００に記録し、当該ディスクに書き込まれた映像を読み出して、動き量を補正して再生することとしたが、これは、記録したディスクから読み出すのではなく、映像撮影装置３００と映像再生装置１００とを、例えばＵＳＢケーブルなどを用いて、直接接続して、映像撮影装置の内蔵ＨＤＤから再生対象の映像のデータを映像再生装置１００に直接送信することとしてもよい。
【０１５２】
即ち、本発明に係る映像加工装置が、加工対象とする映像はどのような手法をとって入手されることとしてもよく、例えば、ストリーム配信されてくる映像データでもよい。
（３）上記実施の形態においては、動き低減量の補正値の決定に当たっては、各視聴環境情報によって求まる補正値を、基本低減量に加算することで、最終的な調整低減量を算出することとした。
【０１５３】
しかし、調整低減量の算出方法は、上記実施の形態に示した手法を用いる必要はなく、例えば、各視聴環境情報によって求まる補正値を基本低減量に乗算していくことで調整低減量を求めることとしてもよい。なお、各算出方法に応じて適切な補正値をシミュレートして設定するとよい。
（４）上記実施の形態においては、映像表示装置２００は、センサ２０３を備えることとした。しかし、センサ２０３は、視聴者の視聴環境に関する情報を得るために備えたものであるため、視聴者の視聴環境を得られるのであれば、外付けの機器であってもよく、また、映像表示装置２００ではなく、映像再生装置１００がセンサ２０３を備えることとしてもよい。図１に示したような使用形態であれば、センサ２０３を映像再生装置１００が備えていたとしても、映像表示装置２００にセンサ２０３を備えた場合とほぼ同様の測定結果を得られる。
【０１５４】
また、映像表示装置２００は、通常のディスプレイではなく、例えばプロジェクタなどの映像投影装置であってもよい。この場合、視聴者位置情報は、プロジェクタ位置からスクリーンまでの距離とする。視聴者は、プロジェクタが配される近辺でプロジェクタが投影する映像を視聴することになるためである。また、この場合には、センサを備えずにプロジェクタのフォーカス精度によって、スクリーンまでの距離を測定して、視聴者位置情報とすることとしてもよい。
【０１５５】
また、映像表示装置２００は、ＨＭＤ（Head Mount Display）であってもよい。この場合の、視聴者位置情報は、ＨＭＤ上の仮想スクリーンの焦点位置から算出される距離を仮想的な距離として用いればよい。また、ＨＭＤによっては、外界の明かりが完全に遮蔽されるものもあるので、この場合の明るさ情報は、映像を表示しない部分の明るさをもって、明るさ情報とすればよい。
（５）上記実施の形態においては、映像表示装置２００に備えられたセンサ２０３が定期的に明るさ情報や、視聴者位置情報を、出力することとしたが、これは映像再生装置１００が視聴環境情報を取得できるのであれば、どのような形態であってもよく、例えば、映像再生装置１００から、映像表示装置２００に対して、視聴環境情報を要求し、当該要求に応じて映像表示装置２００は映像再生装置に視聴環境情報を送信する構成としてもよい。
（６）上記実施の形態においては、動き低減量の補正量を決定するための閾値は予め映像再生装置１００に記憶されている構成をとったが、これらの閾値の個数は、上記実施の形態に示した段階数で区切られるものに限定されるものではなく、何段階で区分されてもかまわない。例えば、上記実施の形態においては、表示サイズの閾値は、３つ設けることとしたが、これは、例えば、５つであってもよいし、逆に１つしかなくともよい。
【０１５６】
同様に上記実施の形態に示した動き低減量の補正値の具体例もまた一例であり、図８〜図１０に示されるように視聴者環境情報に応じて映像酔いを防止できる値になっていればよい。
【０１５７】
また、閾値を設けずに、各視聴環境情報とそれぞれの視聴環境情報で示される値に対する補正量を定めた関係式を映像再生装置が記憶しておいて、当該関係式に基づいて補正量を決定してもよい。このとき、表示サイズの場合には、表示サイズが大きければ大きいほど、明るさの場合には、暗ければ暗いほど、視聴者位置の場合には、視聴者位置を示す距離が短ければ短いほど、低減量の補正量が多くなる関係式を保持するものとする。
【０１５８】
更に、映像再生装置１００は、ユーザ入力に従って、その補正値を変更する機構を備えていてもよい。例えば、映像酔いのしやすさについてのパラメータを設けて、視聴者に映像酔いしやすいかどうかを設定させ、映像酔いしやすい視聴者が映像を視聴する場合には、動き低減量の補正値が大きくなるように、映像酔いしにくい視聴者が映像を視聴する場合には、動き低減量の補正値が映像酔いしやすい視聴者の場合に比して小さくするという構成をとってもよい。
（７）上記実施の形態においては映像出力接続の一例としてＨＤＭＩケーブルとその入出力端子を記載しているが、これは、映像出力に用いられるものであればよく、その他にも例えば、コンポジットケーブル、Ｓ端子ケーブル、コンポーネントケーブル、Ｄ端子ケーブルとそれらに対応する入出力端子などであってもよい。
【０１５９】
同様にネットワーク接続についても、上記実施の形態では、ＬＡＮケーブルを用いた接続例を記載したが、Ｅｔｈｅｒｎｅｔ（登録商標）端子及びそのケーブルでの接続のほか、無線ＬＡＮやＢｌｕｅｔｏｏｔｈなどによる接続であってもよい。
（８）上記実施の形態におけるＣＰＵは、１つのＣＰＵで構成されても、複数のＣＰＵで構成されてもよい。
（９）上記実施の形態においては、ディスプレイ２０４の一例としてＬＣＤを記載したが、これは、映像を表示できるものであればよく、例えば、ＰＤＰ（Plasma Display Panel）、ＣＲＴ（Cathode Ray Tube）ディスプレイ、有機ＥＬディスプレイ（organic electroluminescence display）などであってもよい。
（１０）上記実施の形態においては、視聴者は一人であるという仮定の下で、視聴者と再生装置２００との間の距離を測定して、視聴者位置情報とした。しかし、実際には当然複数の視聴者が映像を視聴することもある。
【０１６０】
この場合、映像再生装置２００のセンサ２０３は、視聴者位置情報としては、最も再生装置２００に近い位置に居る視聴者の位置を視聴者位置情報としてもよい。これは、ディスプレイに近いほど映像酔いを起こしやすいことを考慮した場合の測定方法である。
【０１６１】
あるいは、取得した複数人数の視聴者それぞれの視聴者の位置の平均値を視聴者位置情報としてもよい。
（１１）上記実施の形態においては、垂直方向、水平方向、両方の低減量を一つの基準のみで決定することとしたが、垂直方向、水平方向それぞれで別の補正量となるように、垂直方向、水平方向とで、低減量を決定するためのフローを分けて、垂直方向、水平方向それぞれで調整低減量を決めることとしてもよい。
【０１６２】
つまり、図８〜図１０に示す各フローチャートの補正量は、垂直方向と水平方向とで異なることとしてもよい。このとき、水平方向のぶれよりも垂直方向のぶれの方が視聴者の映像酔いに関与する率が高いことを鑑みて、垂直方向の補正量の方が、水平方向の補正量よりも大きくなるように設定するとよい。
【０１６３】
例えば、図８に示すものが、水平方向に対する補正量を決定するためのフローチャートであるとした場合に、垂直方向に対する補正量を決定するためのフローチャートでは、図８のステップＳ８０３における補正量を「＋５０％」とし、ステップＳ８０４における補正量を「＋３０％」とするとしてもよい。
【０１６４】
なお、低減量を少なくする補正の場合、即ち図８で言えば、ステップＳ８０５の場合においては、垂直方向及び水平方向の補正量は同一のままであってもよい。
（１２）上記実施の形態においては、取得手段５１０は、逐次、視聴者環境情報を取得することとしたが、これは、例えば、据え置き型のデジタルテレビで視聴する場合には、視聴環境はそれほど大きく変化することはないという想定の元で、取得手段５１０は、再生映像を再生するその直前に１回だけ、逐次視聴環境情報を取得することとし、再生映像の再生中では、逐次、視聴環境情報を取得しなくてもよい。
（１３）上記実施の形態においては、図７に示す映像加工処理は、映像再生中に逐次行われることとしたが、視聴者の視聴環境が変化しないのであれば、映像を再生する前に、再生すべき映像全ての加工を終え、当該加工後の映像データを記憶しておき、それを再生することとしてもよい。
（１４）上記実施の形態における映像加工手段５００は、図５に示すその他の機能部あるいは全ての機能部を含んだ構成としてもよく、当該構成は１つの専用回路、集積回路により実現されてもよい。
（１５）上記実施の形態においては、映像再生装置１００や映像撮影装置３００は、ドライブ１０５を備えて、記録媒体ディスク４００から映像データの読み出しや書き込みを行う構成となっている。しかし、ドライブは、映像データを記録している記録媒体からの読み出し、記録媒体への書き込みを行う機能を有するものであればよく、また、記録媒体ディスクもディスクに限るものでなくともよい。
【０１６５】
例えば、ドライブに代えて、ＵＳＢメモリインターフェースを用い、記録媒体ディスクは、ＵＳＢフラッシュメモリであってもよいし、ドライブに代えて、カードリードライタを用い、記録媒体ディスクは、ＳＤメモリカードであってもよい。
【０１６６】
また、映像再生装置１００や、映像撮影装置３００は、記録媒体とアクセスするためのインターフェースは、これらのうちの１つだけではなく複数を備えていてもよい。
（１６）上記実施の形態においては、映像加工手段は、ＣＰＵがプログラムを実行することで、ソフトウェア処理による低減処理を実行することとした。
【０１６７】
しかし、上記映像加工手段に示される各機能部は、上記図７〜１０のフローチャートに示した動作を実行する専用回路によって実現されてもよい。当該専用回路は集積化されていてもよい。
【０１６８】
同様に、映像再生装置１００、映像表示装置２００、映像撮影装置３００の各機能部は集積化されて１又は複数のＬＳＩ（Large Scale Integration）により実現されてもよい。また、複数の機能部が１のＬＳＩにより実現されてもよい。
【０１６９】
ＬＳＩは集積度の違いにより、ＩＣ（Integrated Circuit）、システムＬＳＩ、ＶＬＳＩ（Very Large Scale Integration）、ＳＬＳＩ（Super Large Scale Integration）、ＵＬＳＩ（Ultra Large Scale Integration）などと呼称されることもある。
【０１７０】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１７１】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
（１７）上述の実施形態で示した映像加工に係る動作、映像加工処理等（図７〜図１０参照）を映像再生装置等のプロセッサ、及びそのプロセッサに接続された各種回路に実行させるためのプログラムコードからなる制御プログラムを、記録媒体に記録すること、又は各種通信路（例えば、電気通信回線、無線または有線通信回線、インターネットを代表とするネットワーク）等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【０１７２】
本発明に係る映像再生装置は、デジタルビデオカメラなどを利用して撮影された撮影映像を再生する際の映像酔いが少ない機器として、ＤＶＤプレーヤ、ＢＤプレーヤなどの光ディスクプレーヤやデジタルビデオカメラ等に活用することができる。
【符号の説明】
【０１７３】
１００  映像再生装置
１０１  ＣＰＵ
１０２  メモリ
１０３  ＨＤＭＩ
１０４  ネットワーク通信部
１０５  ドライブ
１０６  デコーダ
１０７  映像処理部
１０８  内部バス
２００  映像表示装置
２０１  ＣＰＵ
２０２  メモリ
２０３  センサ
２０４  ディスプレイ
２０５  ＨＤＭＩ
２０６  ネットワーク通信部
２０７  内部バス
３００  映像撮影装置
３０１  ＣＰＵ
３０２  メモリ
３０３  加速度センサ
３０４  ドライブ
３０５  デコーダ
３０６  エンコーダ
３０７  カメラ
３０８  内部バス
４００  記録媒体ディスク
５００  映像加工手段
５１０  取得手段
５２０  視聴環境情報記憶手段
５２１  表示領域サイズ情報
５２２  明るさ情報
５２３  視聴者位置情報
５３０  動き情報検出手段
５４０  記憶手段
５５０  映像再生手段
５６０  映像バッファ
５７０  低減量出力手段
５８０  動き低減加工手段
５９０  映像出力手段
６００  映像加工手段
６１０  撮影手段
６２０  ブレ低減手段
６３０  ブレ情報検出手段
６４０  映像バッファ
６５０  映像符号化手段
６６０  低減済みブレ情報記憶手段
６７０  映像記録手段
６８０  ブレ情報記録手段
６９０  記憶手段
【図１】
2010109900.tif 000003
【図２】
2010109900.tif 000004
【図３】
2010109900.tif 000005
【図４】
2010109900.tif 000006
【図５】
2010109900.tif 000007
【図６】
2010109900.tif 000008
【図７】
2010109900.tif 000009
【図８】
2010109900.tif 000010
【図９】
2010109900.tif 000011
【図１０】
2010109900.tif 000012
【図１１】
2010109900.tif 000013
【手続補正書】
【提出日】平成22年12月20日(2010.12.20)
【手続補正１】
【補正対象書類名】明細書
【補正対象項目名】全文
【補正方法】変更
【補正の内容】
【発明の詳細な説明】
【技術分野】
【０００１】
本発明は映像加工装置、映像再生装置に関し、特に映像酔い防止技術に関する。
【背景技術】
【０００２】
近年、部品の小型化、高密度実装化などの技術向上により、ムービーカメラなどの記録装置は、小型化、軽量化が進んでいる。また、同時に、高倍率レンズを搭載することによって、より細密な画像の撮影が可能となっている。
【０００３】
しかし、機器の小型化と、高倍率レンズの搭載は、撮影時の手ぶれを生じやすくしている。
【０００４】
そこで、この手ぶれを軽減するための機能を搭載したデジタルカメラ、ムービーカメラが一般的となっており、この手ぶれ補正には様々な種類がある。
【０００５】
例えば、純電子式画像ぶれ防止機能では、ＣＣＤ（Charge Coupled Device）の出力画像から動きを検出し、フィードメモリに蓄えた画像を、検出した動きの動きベクトルに応じて、Ｈ（Horizontal）方向、Ｖ（Vertical）方向の動きを加減して出力する。
【０００６】
また、鏡筒制御型手ぶれ防止機能では、鏡筒内に複数のレンズを備え、当該レンズ群の中に２軸の動作機構を持った慣性振り子状の補正レンズを配し、手ぶれによって発生する画像のぶれを打ち消す。
【０００７】
その他には、大面積撮像素子によるぶれ防止機能では、通常の有効画面範囲（画面サイズ）よりも広いエリアの撮像素子を用い、加速度センサなどにより動きを検出し、当該加速度センサの出力する信号に基づいて撮像素子における画面サイズ分の画素の読み出し開始位置を制御する。
【０００８】
また、撮影装置側ではなく再生装置側でぶれを補正する方法もあり、再生画像による電子式ぶれ防止機能では、ビデオ出力の再生画像から動きを検出し、フィールドメモリに蓄えた画像をその動きベクトルに応じて読み出し位置を決定し、メモリから読み出して制御する。
【０００９】
特許文献１には、再生画像による電子式手ぶれ防止の一手法が開示され、再生装置が接続されているテレビのオーバースキャン量に応じて、適切な手ぶれ防止を行っている。
【先行技術文献】
【特許文献】
【００１０】
【特許文献１】特開平７−１４３３３８号公報
【発明の概要】
【発明が解決しようとする課題】
【００１１】
ところで、近年、低価格の大型テレビが普及し、以前に比べて大画面で撮像した画像を視聴する機会が増加している。この場合、映像を大画面で視聴した場合、視聴者に所謂映像酔いと呼ばれる症状が発生しやすくなるという問題が発生する。
【００１２】
上述した特許文献１に記載の構成では、オーバースキャン量を加味しての、ぶれによる画像劣化の度合いを最小限に留めることはできる、即ち、高精度の画像を出力することができるものの、視聴者の映像酔いを抑制することまではできないという問題を抱えている。
【００１３】
そこで、本発明は、上記問題に鑑みてなされたものであり、映像の再生時に視聴者の映像酔いを低減できる映像加工装置及び映像再生装置を提供することを目的とする。
【課題を解決するための手段】
【００１４】
上記課題を解決するため、本発明に係る映像加工装置は、再生される映像を加工する映像加工装置であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段を備えることを特徴としている。
【００１５】
また、本発明に係る映像加工方法は、映像再生装置が再生する映像を加工する映像加工方法であって、再生映像における２以上のフレーム間の動きに関する動き情報を取得する動き情報取得ステップと、前記再生映像を視聴する視聴者の視聴環境を示す視聴環境情報を取得する視聴環境情報取得ステップと、前記視聴環境情報に基づいて、前記動き情報で定まる動き量を低減するための低減量を出力する低減量出力ステップと、前記低減量を用いて、前記再生映像を加工する加工ステップとを含むことを特徴としている。
【００１６】
また、本発明に係る集積回路は、再生される映像を加工する映像加工集積回路であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段を備えることを特徴としている。
【００１７】
また、本発明に係る映像再生装置は、再生される映像を加工して出力する映像再生装置であって、再生映像における２以上のフレーム間の動きに関する動き情報を取得する動き情報取得手段と、前記再生映像を視聴する視聴者の視聴環境を示す視聴環境情報を取得する視聴環境情報取得手段と、前記視聴環境情報に基づいて、前記動き情報で定まる動き量を低減するための低減量を出力する低減量出力手段と、前記低減量を用いて、前記再生映像を加工する加工手段と、前記加工手段により加工された再生映像を出力する出力手段とを備えることを特徴としている。
【発明の効果】
【００１８】
上述のような構成によって、映像を視聴する視聴者の視聴環境に応じた映像の加工が行えるので、映像を視聴する視聴者の映像酔いを抑制することができる。
【００１９】
また、前記低減量出力手段は、予め定められた基本低減量を前記視聴環境情報で定まる補正値を用いて調整した調整低減量を前記低減量として出力することとしてもよい。
【００２０】
基本低減量を定めることにより、当該基本低減量に応じた補正を行うことができるので、例えば、視聴者の映像酔いのしやすさに応じて、基本低減量を変更すれば、視聴者の映像酔いのしやすさに応じた低減量の決定も可能となる。
【００２１】
また、前記視聴環境情報は、前記再生映像を再生する表示装置の映像表示領域のサイズ情報を含み、前記低減量出力手段は、前記サイズ情報に応じて、前記基本低減量を調整することとしてもよい。
【００２２】
また、前記低減量出力手段は、前記サイズ情報で示される映像表示領域のサイズが大きければ大きいほど前記基本低減量を増加させる調整を実行することとしてもよい。
【００２３】
これにより、映像加工装置は、映像サイズに応じた補正を行うことができる。映像サイズが大きければ大きいほど、映像酔いをしやすくなるので、これによって、視聴者の映像酔いを防止できる。
【００２４】
また、前記低減量出力手段は、前記サイズ情報で示される映像表示領域のサイズが予め定められた所定のサイズよりも大きい場合に、前記基本低減量を増加する調整を実行することとしてもよい。
【００２５】
これにより、映像加工装置は、映像サイズについては、特に所定のサイズ以上になると特に映像酔いがしやすくなるので、これによって、一定の閾値を超えているかどうかによる単純な判断機構で、映像サイズに基づく補正を実行することができる。
【００２６】
また、前記低減量出力手段は、前記低減量出力手段は、前記サイズ情報で示される映像表示領域のサイズが大きければ大きいほど、前記動き量の水平成分よりも垂直成分をより大きく前記基本低減量を増加させる調整を実行することとしてもよい。
【００２７】
これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。
【００２８】
また、前記視聴環境情報は、前記再生映像を再生する表示装置の周囲の明るさを示す明るさ情報を含み、前記低減量出力手段は、前記明るさ情報に応じて、前記基本低減量を調整することとしてもよい。
【００２９】
また、前記低減量出力手段は、前記明るさ情報で示される明るさが暗ければ暗いほど前記基本低減量を増加させる調整を実行することとしてもよい。
【００３０】
これにより、映像加工装置は、周囲の明るさに応じた補正を行うことができる。暗ければ暗いほど、映像酔いをしやすくなるので、これによって、視聴者の映像酔いを防止できる。
【００３１】
また、前記低減量出力手段は、前記明るさ情報で示される明るさが所定の閾値よりも暗ければ前記基本低減量を増加させる調整を実行することとしてもよい。
【００３２】
これにより、映像加工装置は、明るさについては、特に所定の明るさ以下になると特に映像酔いがしやすくなるので、これによって、一定の閾値を超えているかどうかによる単純な判断機構で、明るさに基づく補正を実行することができる。
【００３３】
また、前記低減量出力手段は、前記動き量で示される水平成分と垂直成分とについて、前記動き量の垂直成分の低減量が水平成分の低減量よりも大きくなるように前記基本低減量を調整することとしてもよい。
【００３４】
これにより、暗くなればなるほど、これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。
【００３５】
また、前記視聴環境情報は、前記再生映像を視聴する視聴者と前記再生映像を再生する表示装置との間の距離に関する視聴者位置情報を含み、前記低減量出力手段は、前記視聴者位置情報に応じて、前記基本低減量を調整することとしてもよい。
【００３６】
また、前記低減量出力手段は、前記視聴者位置情報で示される距離が短ければ短いほど前記基本低減量を増加させる調整を実行することとしてもよい。
【００３７】
これにより、映像加工装置は、視聴者位置に応じた補正を行うことができる。視聴者位置が映像を表示する表示装置に近ければ近いほど、映像酔いをしやすくなるので、これによって、視聴者の映像酔いを防止できる。
【００３８】
また、前記低減量出力手段は、前記視聴者位置情報で示される距離が所定の閾値よりも短ければ前記基本低減量を増加させる調整を実行することとしてもよい。
【００３９】
これにより、映像加工装置は、視聴者距離については、特に所定の距離よりも近くなると特に映像酔いがしやすくなるので、これによって、一定の閾値を超えているかどうかによる単純な判断機構で、映像サイズに基づく補正を実行することができる。
【００４０】
また、前記低減量出力手段は、前記視聴者位置情報で示される距離が短ければ短いほど、前記動き量の垂直成分の低減量が水平成分の低減量よりもより大きくなるように前記基本低減量を調整することとしてもよい。
【００４１】
これにより、距離が近くなればなるほど、これにより、映像サイズが大きくなればなるほど、動き量の水平方向の補正量よりも垂直方向の補正量を大きくすることができる。垂直方向の動きの方が水平方向の動きよりもより大きく映像酔いに関与するので、これに対応できる。
【００４２】
また、前記低減量出力手段は、前記動き量で示される水平成分と垂直成分とについて、前記基本低減量は、垂直成分用のものと水平成分用のものの２種類を含み、前記垂直成分用の基本低減量は、前記水平成分用の低減量よりも大きいこととしてもよい。
【００４３】
これにより、水平成分よりも垂直成分をより大きく低減させることができるので、より映像酔いを発症しにくくなる。これは、水平方向のブレよりも、垂直方向に対するブレの方が映像酔いを発症しやすいためである。
【００４４】
また、前記映像加工装置は、更に、前記記録媒体に記録された映像に対してオーバースキャンを行う際に、前記調整低減量に基づく低減を行った動き量によって定まる切り出し領域を切り出して出力する出力手段を備えることとしてもよい。
【００４５】
これにより、映像加工装置は、低減量を補正して、補正後の低減量で定まる動き量に基づくオーバースキャン切り出し領域で切り出した映像データを出力するので、当該映像データを視聴した視聴者は、映像酔いをしにくくなる。
【図面の簡単な説明】
【００４６】
【図１】映像再生装置の使用形態を示すシステム図である。
【図２】映像再生装置の機能構成を示す機能ブロック図である。
【図３】映像表示装置の機能構成を示す機能ブロック図である。
【図４】映像撮影装置の機能構成を示す機能ブロック図である。
【図５】映像再生装置における映像加工装置の機能構成を示す機能ブロック図である。
【図６】映像撮影装置におけるぶれ補正に係る機能構成を示す機能ブロック図である。
【図７】映像の動き低減加工処理の手順の一例を示すフローチャートである。
【図８】表示領域サイズに基づく映像の動き量を低減する低減量の調整量を算出するフローチャートである。
【図９】明るさに基づく映像の動き量を低減する低減量の調整量を算出するフローチャートである。
【図１０】視聴者位置に基づく映像の動き量を低減する低減量の調整量を算出するフローチャートである。
【図１１】動き量の加工例を示すための説明図である。
【発明を実施するための形態】
【００４７】
以下、本発明の一実施形態である映像加工装置及び当該映像加工装置が搭載される映像再生装置について図面を用いて説明する。
【００４８】
図１は、映像再生装置１００の使用形態を示す図である。
【００４９】
映像再生装置１００は、例えば、ＢＤ（Blu-ray Disc）プレーヤ、ＤＶＤ（DigitalVersatile Disc）プレーヤなどに代表される再生装置であり、ＢＤ−ＲＯＭ、ＤＶＤ−ＲＯＭなどの記録媒体に記録された映像や、受信した映像を再生する。映像再生装置１００は、映像表示装置２００及び映像撮影装置３００にＨＤＭＩケーブルなどを介して接続される。
【００５０】
映像表示装置２００は、例えば、デジタルテレビなどに代表される表示装置である。また、映像撮影装置３００は、例えば、デジタルムービーカメラである。映像撮影装置３００で撮影された映像が記録媒体ディスク４００に記録され、記録媒体ディスク４００が映像再生装置１００のドライブに挿入されて再生される。
【００５１】
映像再生装置１００は、記録媒体ディスク４００から読み出した映像データで示される映像の動きを、映像表示装置２００が取得した視聴者の視聴環境情報（ディスプレイサイズ、明るさなど）に基づいて補正して、補正後の映像データを映像表示装置２００に出力する。
【００５２】
図２は映像再生装置１００の機能構成を示した機能ブロック図である。
【００５３】
図２に示すように、映像再生装置１００は、ＣＰＵ（Central Processing Unit）１０１と、メモリ１０２と、ＨＤＭＩ（High-DefinitionMultimedia Interface）１０３と、ネットワーク通信部１０４と、ディスクドライブ１０５と、デコーダ１０６と、映像処理部１０７とを含んで構成される。映像再生装置１００の各部は、内部バス１０８を介して互いに接続されている。
【００５４】
ＣＰＵ１０１は、映像再生装置１００の各部を制御するものであり、特に、映像を再生する際に、視聴者の映像酔いを防止するために、再生する映像のフレーム間の動き量を低減するための低減量を決定する機能を有する。ＣＰＵ１０１は、映像再生装置２００から取得した視聴者の視聴環境（再生する映像の表示サイズ、周囲の明るさ、ディスプレイから視聴者までの距離）を示す視聴環境情報に基づいて、それぞれの視聴環境に応じて、低減量の補正値を求め、求めた各補正値を基本低減量に加算して調整後の調整低減量を、内部バス１０８を介して映像処理部１０７に出力する。
【００５５】
メモリ１０２は、映像再生装置１００の動作上必要とされる各種のプログラムやデータを記憶する機能を有し、ＲＯＭ（Read Only Memory）及びＲＡＭ（RandomAccess Memory）を備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００５６】
ＨＤＭＩ１０３は、ＨＤＭＩケーブルとの接続インターフェースであり、映像表示装置２００への映像信号の出力を行うなど、映像表示装置２００との間のデータ送受信を実行する機能を有する。
【００５７】
ネットワーク通信部１０４は、ＬＡＮケーブルなどのネットワーク通信部回線との接続インターフェースであり、映像再生装置１００と映像表示装置２００との間でのデータ送受信を行う。
【００５８】
ドライブ１０５は、記録媒体ディスク４００を装着して、ＣＰＵ１０１からの指示に従い、記録媒体ディスク４００からデータを読み出して出力する機能と、ＣＰＵ３０１から出力されたデータを記録媒体ディスク４００に書き込む機能とを有する。
【００５９】
デコーダ１０６は、再生対象の映像データをデコードし、デコード後の映像データを出力する機能を有する。
【００６０】
映像処理部１０７は、デコーダ１０６がデコードした後の映像データを受け取り、映像全体の動きを打ち消す加工処理を行う機能を有する。
【００６１】
図３は、映像表示装置２００の機能構成を示す機能ブロック図である。
【００６２】
図３に示すように、映像表示装置２００は、ＣＰＵ２０１と、メモリ２０２と、センサ２０３と、ディスプレイ２０４と、ＨＤＭＩ２０５と、ネットワーク通信部２０６とを含んで構成される。映像表示装置２００の各部は、内部バス２０７を介して互いに接続されている。
【００６３】
ＣＰＵ２０１は、映像表示装置２００の各部を制御する機能を有する。また、ＣＰＵ２０１は、映像を再生している場合に、当該映像の表示サイズを映像表示装置２００のディスプレイサイズ（インチ情報）と、表示モード（フル画面再生、縮小動画再生（１／２倍縮小であれば、縦横とも０．５倍、１／４倍縮小であれば縦横とも０．２５倍など））とから求まる表示サイズの情報を逐次ＨＤＭＩ１２０５又はネットワーク通信部２０６を介して映像再生装置１００に伝達する機能も有する。
【００６４】
メモリ２０２は、映像表示装置２００の動作上必要とされる各種のプログラムやデータを記憶する機能を有し、ＲＯＭ及びＲＡＭを備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００６５】
センサ２０３は、視聴環境の明るさや、視聴者の位置を測定する機能を有し、照度センサや、超音波センサなどからなる。本実施の形態においては、照度センサで映像表示装置２００の周辺の明るさを測定し、超音波センサで音波の反射を用いて映像表示装置２００と視聴者間の距離を測定する機能を有する。センサ２０３は、測定した明るさを明るさ情報として、映像表示装置２００と視聴者間の距離を視聴者位置情報として、ＨＤＭＩ１２０５又はネットワーク通信部２０６を介して、映像再生装置１００に伝達する。
【００６６】
ディスプレイ２０４は、映像を表示する装置であり、例えばＬＣＤ（Liquid Crystal Display）である。
【００６７】
ＨＤＭＩ２０５は、ＨＤＭＩケーブルとの接続インターフェースであり、映像再生装置１００から映像信号を受信する機能を有する。
【００６８】
ネットワーク通信部通信部２０６は、ＬＡＮケーブルなどのネットワーク回線との接続インターフェースであり、映像再生装置１００と映像表示装置２００との間のデータの送受信を実行する機能を有する。
【００６９】
図４は、映像撮影装置３００の機能構成を示す機能ブロック図である。
【００７０】
図４に示すように、ＣＰＵ３０１と、メモリ３０２と、加速度センサ３０３と、ドライブ３０４と、デコーダ３０５と、エンコーダ３０６と、カメラ３０７とを含んで構成される。映像撮影装置３００の各部は、内部バス３０８を介して互いに接続されている。
【００７１】
ＣＰＵ３０１は、映像撮影装置３００の各部を制御する機能を有する。
【００７２】
メモリ３０２は、映像撮影装置３００の動作上必要とされる各種のプログラムやデータを記憶する機能を有し、ＲＯＭ及びＲＡＭを備える。ＲＯＭは、ＣＰＵ１０１の動作を規定する各種実行プログラム及びデータを記憶している。ＲＯＭには、フラッシュＲＯＭのように書き込みが可能で、電源を切っても記憶内容を保持できる不揮発性メモリや記憶媒体も含まれる。ＲＡＭには、電源を切ると記憶内容が保持されない揮発性のメモリが含まれる。
【００７３】
加速度センサ３０３は、カメラ３０７の動きを測定する機能を有し、測定した加速度値を内部バス３０８に出力する機能を有する。
【００７４】
ドライブ３０４は、記録媒体ディスク４００を装着して、ＣＰＵ３０１からの指示に従い、記録媒体ディスク４００からデータを読み出して出力する機能と、ＣＰＵ３０１から出力されたデータを記録媒体ディスク４００に書き込む機能とを有する。記録媒体ディスク４００に記録されている映像データは、エンコーダ３０６により符号化された後の映像データである。
【００７５】
デコーダ３０５は、メモリ３０２または記録媒体ディスク４００に記録した映像データを映像撮影装置３００で再生する際に、再生対象の映像データをデコードし、デコード後の映像データを出力する機能を有する。
【００７６】
エンコーダ３０６は、メモリ３０２に記録されている映像データを符号化し、符号化後の映像データを出力する機能を有する。
【００７７】
カメラ部３０７は、レンズやＣＣＤなどからなり、撮影処理を行い、撮影した映像データをメモリ３０２に記録する機能を有する。
【００７８】
図５は、映像再生装置１００で行われる映像加工処理を実行するための機能部を示した機能ブロック図である。
【００７９】
映像加工手段５００は、取得手段５１０と、視聴環境情報記憶手段５２０と、動き情報検出手段５３０と、低減量出力手段５７０と、動き低減加工手段５８０とを含んで構成される。取得手段５１０、動き情報検出手段５３０、低減量出力手段５７０は、ＣＰＵ１０１のソフトウェア処理により実現され、動き低減加工手段５８０は、映像処理部１０７により実現される。
【００８０】
取得手段５１０は、ＨＤＭＩ１０３のＣＥＣ（Consumer Electronics Control）機能、もしくはネットワーク通信部１０４を介して、映像表示装置２００から、逐次、視聴環境情報を取得し、取得した視聴環境情報を視聴環境情報記憶手段５２０に記録する機能を有する。
【００８１】
視聴環境情報記憶手段５２０は、視聴者の映像酔いを定める指標となる視聴環境情報として、表示領域サイズ情報５２１と、明るさ情報５２２と、視聴者位置情報５２３とを保持する機能を有する。
【００８２】
表示領域サイズ情報５２１は、映像表示装置２００において再生されている映像の表示サイズの情報や、映像を縮小表示している場合の表示位置の情報を含む。表示サイズの情報は、映像表示装置２００のディスプレイサイズに映像の再生サイズ（フル画面再生、縮小動画再生など）を積算する（フル画面再生なら１倍、縮小動画再生の場合には縮小サイズに応じた倍率、例えば１／２縮小再生の場合には、０．５倍）ことにより定まる表示サイズのことである。ハイビジョン解像度などの高精細な映像を大画面で視聴した場合に、視聴者は映像酔いを発症しやすくなるため、表示領域サイズ情報５２１を用いての補正を行う。
【００８３】
明るさ情報５２２は、映像表示装置２００の周囲の明るさを測定して得られる照度情報である。これは、視聴者が暗い場所で、映像を視聴すると映像酔いを発症しやすくなるため、明るさ情報５２２を用いての補正が行われる。
【００８４】
視聴者位置情報５２３は、映像表示装置２００から視聴者までの距離を示す情報である。視聴者の映像が表示されているスクリーンまでの距離が近ければ近いほど、映像酔いを発症しやすくなるため、視聴者位置情報５２３を用いての補正が行われる。
【００８５】
動き情報検出手段５３０は、記憶手段５４０に記憶されている映像データから、フレーム間の動き量を検出して、動き低減加工手段５８０に出力する機能を有する。当該動き量は、デコード映像データにおいて、フレーム間のオーバースキャン切り出し領域で示される領域の変化量に相当する。なお、動き情報検出手段５３０は、記録媒体ディスク４００に撮影時のブレ情報もともに記録されていた場合には、当該ブレ情報が、動き量に相当するので、これを動き量として出力する。また、動き情報検出手段５３０は、映像データに付属情報として、ＭＰＥＧ符号中の動きベクトルが付属している場合には、当該動きベクトルを動き量として検出する。また、動き情報検出手段５３０は、映像フレームデータの解析で動き量を検出する場合には、前回のフィールド画像と今回のフィールド画像の間でマッチング演算を実行して、それらの間の差分を求めることにより１フィールド間の動き量を検出する。
【００８６】
低減量出力手段５７０は、視聴環境情報記憶手段５２０から、各視聴環境情報を取得して、各視聴環境情報に応じて、低減量の調整量の補正値を決定し、当該補正値を動き低減加工手段５７０に通知する機能を有する。低減量出力手段５７０は、予め動き量をどれだけ減少させるのかを示す基準値（基本低減量ともいう）を記憶しており、決定した補正値を当該基本低減量に加味した補正値（調整低減量ともいう）を動き低減加工手段５８０に出力する。
【００８７】
動き低減加工手段５８０は、低減量出力手段５７０から低減量の調整量の補正値を取得し、当該補正値を用いて、動き情報検出手段５３０から取得した動き量を調整した映像を生成し、映像バッファ５６０に格納する機能を有する。
【００８８】
記憶手段５４０は、記憶媒体ディスク４００に相当し、再生対象の映像データ及び付属情報を記憶している。なお、記憶手段５４０に格納されている映像データは、映像撮影装置３００でブレ低減処理済みである場合がある。この場合、記憶手段５４０は、再生撮影装置３００で検出したブレ情報及び低減処理した低減済みブレ情報を、対応する映像データと共に記憶してもよい。なお、付属情報とは、対応する映像データに関連する管理情報、メタ情報などである。  
【００８９】
映像再生手段５５０は、デコーダ１０６に相当し、記憶手段５４０に記憶している映像データをデコードし、デコード後の映像データを映像バッファ５６０に格納する。
【００９０】
映像バッファ５６０は、メモリ１０２に相当し、映像再生手段５５０がデコードした後の映像データを記憶する。
【００９１】
映像出力手段５９０は、映像バッファ５６０から、デコード後の映像データまたは映像全体の動きを打ち消す加工処理後の映像データを取得し、映像信号にして出力する。映像出力手段５９０は、ＣＰＵ１０１にて実施される処理であって、ＨＤＭＩ端子１０３を介して映像表示装置２００への出力を行う。
【００９２】
図６は、映像撮影装置２００で行われる映像加工処理を実行する映像加工手段６００の機能構成を示した機能ブロック図である。当該図面に示す映像加工手段は、本実施の形態においては、ＣＰＵ２０１によるソフトウェア処理により実現されるものとする。
【００９３】
図６に示すように、映像加工手段６００は、撮影手段６１０と、ブレ低減手段６２０と、ブレ情報検出手段６３０と、映像バッファ６４０と、映像符号化手段６５０と、低減済みブレ情報記録手段６６０と、映像記録手段６７０と、ブレ情報記録手段６８０と、記憶手段６９０とを備えている。
【００９４】
撮影手段６１０は、カメラ部３０７に相当し、撮影した映像データを映像バッファ１３１４に格納する機能を有する。
【００９５】
ブレ情報検出手段６３０は、加速度センサ３０３に相当し、撮影手段６１０で撮影された映像の動きを検出し、検出した手ブレの方向と量とをブレ情報として、ブレ低減手段６２０に通知する機能を有する。
【００９６】
ブレ低減手段６２０は、ＣＰＵ３０１にて実施される処理に相当し、カメラ部３０７のＣＣＤからの読み出し位置や映像バッファの読み出し位置・書出し位置の調整、カメラ部３０７の制御などによりブレ補正を行う機能を有する。なお、基本的な手ブレ補正技術については従来技術であるため、ここでは詳細な説明は省略する。
【００９７】
映像バッファ６４０は、メモリ３０５に相当し、撮影手段６１０が撮影した映像データを一時的に記憶する機能を有する。
【００９８】
映像符号化手段６５０は、エンコーダ３０６に相当し、映像バッファ６４０に記憶されている映像データを符号化し、符号化した映像データを映像記録手段６７０に出力する機能を有する。
【００９９】
映像記録手段６７０は、ＣＰＵ３０１にて実施される処理であって、映像符号化手段６５０が符号化した映像データを受け取り、記憶手段６９０に格納する機能を有する。
【０１００】
ブレ情報記録手段６８０は、ＣＰＵ３０１にて実施される処理であって、ブレ情報検出手段６３０が検出したブレ情報を受け取り、記憶手段６９０に格納する機能を有する。
【０１０１】
低減済みブレ情報記録手段６６０は、ＣＰＵ３０１にて実施される処理であって、撮影時に手ブレ補正を行った際、ブレ低減手段６２０がブレ補正した低減済みブレ情報を受け取り、記憶手段６９０に格納する。
【０１０２】
記憶手段６９０は、ブレ情報検出手段６３０が検出したブレ情報、及びブレ低減手段６２０が低減した低減済みブレ情報を、符号化した映像とともに、記憶媒体４００に記録する機能を有する。また、これらの情報は、時刻と動きベクトルとのテーブルとして時系列に記録される。なお、ブレ情報及び低減済みブレ情報については、時刻と動きベクトルのテーブルを、映像データとは別ファイルにて記録してもよいし、映像データ中（例えばＴＳパケット中）に埋め込む形で記録してもよい。
【０１０３】
以上の構成により、映像撮影装置３００は、撮影時のブレ情報と低減済みブレ情報を、映像データと共に、記録媒体ディスク４００を用いて、映像再生装置１００に提供することができる。
＜動作＞
次に、本実施の形態に係る映像撮影装置及び映像加工装置の動作について図７〜図１０に示すフローチャートを用いて説明する。
【０１０４】
まず、図７に示すフローチャートを用いて、単位時間当たりの映像の加工における全体的な流れを説明した後に、当該全体的な流れの中の、各視聴環境情報を用いた低減量を補正する補正値の決定の手法について、図８〜図１０のフローチャートを用いて説明する。
【０１０５】
図７は、単位時間当たりの映像加工処理を示すフローチャートである。当該フローチャートに従って映像再生装置１００が動作することにより、映像の加工、即ち動き量の低減が行われる。図７に示すフローチャートは映像が再生されている間に逐次行われ、現在再生している映像の次又はその先において再生すべき映像データの加工が行われる。
【０１０６】
映像再生手段５５０が、処理を開始し、記憶手段５４０に記憶されている再生対象の映像データをデコードした後、デコード後の映像データを映像バッファ５６０に格納しているものとする。また、取得手段５１０は、映像再生装置２００から逐次、視聴環境情報を取得しており、視聴環境情報記憶手段５２０には、現在の視聴環境における各視聴環境情報が記憶されているものとする。
【０１０７】
動き情報検出手段５３０は、記憶手段５４０に記憶されている映像データ及びその付属情報を解析する、もしくは映像バッファ５６０に展開された映像フレームデータを解析することにより、各フレームの動き情報を検出する。映像データの解析による動きデータの検出では、ＭＰＥＧ符号中の動きベクトルデータを読み出す。映像バッファ５６０に展開された映像フレームデータを解析する場合には、前回のフィールド画像と今回のフィールド画像の間でマッチング演算を実行し、それらの間の差分を求めることにより１フィールド間の動き量を検出する。
【０１０８】
なお、映像酔いは、主に人間の三半規管の入力と視覚からの入力の間でのずれが大きくなった時に発生することが知られている。特に、映像酔いを引き起こしやすい動きは、０．１Ｈｚから３Ｈｚの比較的低周波の動きであり、１フィールド（１／６０秒）よりもゆっくりとした動きとなる。このため、前述したフレームごとの動き量を算出するのみでなく、２０〜１２０フレームにわたっての動き量も測定する必要がある。
【０１０９】
これは、映像バッファ５６０に一定時間前（例えば１秒前）のフレームデータを保持し続けるようにし、このフレーム映像との間での動き量を検出することによって実現する。また、映像バッファ５６０が、２０〜１２０枚の映像を保持し続けることによって実現しても構わないし、パンニング検知、ティルティング検知、の処理方法を用いて実現してもよい。
【０１１０】
また、ＭＰＥＧ符号中の動きベクトルデータを利用する場合には、各フレームの動きベクトルデータだけでなく、過去の一定時間（例えば１秒間）にわたっての動きベクトルの総和を保持することによってこれを行う。
【０１１１】
映像再生装置１００の動き情報検出手段５３０は、単位時間当たり（例えば、１０フレーム分）の動き量を取得する（ステップＳ７０１）。
【０１１２】
低減量出力手段５７０は、予めメモリに記憶している垂直方向及び水平方向それぞれの基本となる基本低減量を取得する（ステップＳ７０２）
また、低減量出力手段５７０は、視聴環境情報記憶手段５２０から表示領域サイズ情報５２１を取得する。そして、低減量出力手段５７０は、表示領域サイズ情報５２１に基づいた基本低減量を補正するための補正値を求める（ステップＳ７０３）。当該補正値の求め方の詳細については、図８に示すフローチャートを用いて後述する。
【０１１３】
次に、低減量出力手段５７０は、視聴環境情報記憶手段５２０から明るさ情報５２２を取得する。そして、低減量出力手段５７０は、明るさ情報５２２に基づいた基本低減量を補正するための補正値を求める（ステップＳ７０４）。当該補正値の求め方の詳細については、図９に示すフローチャートを用いて後述する。
【０１１４】
そして、低減量出力手段５７０は、視聴環境情報記憶手段５２０から視聴者位置情報５２３を取得する。そして、低減量出力手段５７０は、視聴者位置情報５２３に基づいた基本低減量を補正するための補正値を求める（ステップＳ７０５）。当該補正値の求め方の詳細については、図１０に示すフローチャートを用いて後述する。
【０１１５】
低減量出力手段５７０は、ステップＳ７０３〜ステップＳ７０５において取得した各補正値を足し合わせて得られる補正値を基本低減量から減算して得られる調整低減量を動き低減加工手段５８０に出力する（ステップＳ７０６）。
【０１１６】
動き低減加工手段５８０は、取得した調整低減量に基づいて、切り出すべき加工後のオーバースキャン切り出し領域を決定し、映像バッファ５６０に伝達する。
【０１１７】
映像再生手段５５０は、記憶手段５４０に記憶されているデータをデコードし、再生映像の時間軸に従って、デコード映像データを映像バッファ５６０に書き込む。
【０１１８】
映像バッファ５６０は、動き低減加工手段５８０から伝達された加工後動き量で示される動き量の終点を中心とするオーバースキャン切り出し領域をデコード映像データから切り出して映像出力手段５９０に出力する。
【０１１９】
映像出力手段５９０は、映像バッファ５６０から出力された映像データを映像表示装置２００にＨＤＭＩ１０３を介して出力し、映像表示装置２００は当該映像データに基づく映像を表示する（ステップＳ７０７）。これを以って、映像表示装置２００では、視聴者の視聴者環境情報に基づいて動き量が補正されて、映像酔いを発症しにくい映像が再生されることとなる。
【０１２０】
仮に、映像サイズが閾値Ｌ２よりも大きく、明るさが閾値Ｌ１よりも上且つ閾値Ｌ２以下で、視聴者位置が閾値Ｄ１以下であったとする。すると低減量の補正値は、＋３０％＋１０％−１０％＝３０％となる。そして、仮に、垂直方向の低減量の基準値が６０％、水平方向の低減量の基準値が４０％であったとした場合に、調整後の動き低減量を、垂直方向を９０％（６０％＋３０％＝９０％）、水平方向を７０％（４０％＋３０％＝７０％）とし、動き検出手段５３０が検出した動き量の垂直成分を０．９倍、水平成分を０．７倍した後の加工後動き量を動き量とした場合のオーバースキャン切り出し領域がデコード映像から切り出されて出力される。なお、ここで、加工後動き量は、加工前の動き量の示す方向とは逆方向にはならない、即ち低減量は１００％を超えず、マイナスにもならないものとする。
【０１２１】
以上が、動き量の低減量を求めて映像を加工して出力するまでの動作である。
【０１２２】
図８は、表示領域サイズに基づく映像の動き量を低減する低減量の調整量を算出するフローチャートであり、上述のステップＳ７０３における処理の内容を示している。
【０１２３】
表示領域サイズ情報５２１を視聴環境情報記憶手段５２０から取得した動き低減加工量調整手段５７０は、当該表示領域サイズ情報５２１で示される表示サイズが閾値Ｓ１以下であるかどうかを判定する（ステップＳ８０１）。
【０１２４】
表示サイズが閾値Ｓ１以下であった場合には（ステップＳ８０１のＹＥＳ）、動き低減加工量調整手段５７０は、表示領域サイズに基づく補正量を「−１０％」に決定して（ステップＳ８０５）処理を終了する。
【０１２５】
表示サイズが閾値Ｓ１よりも大きかった場合には（ステップＳ８０１のＮＯ）、動き低減加工量調整手段５０７は、次に、表示サイズが閾値Ｓ２（Ｓ２＞Ｓ１）以下であるかどうかを判定する（ステップＳ８０２）。
【０１２６】
表示サイズが閾値Ｓ１よりも大きく、閾値Ｓ２以下である場合には（ステップＳ８０２のＹＥＳ）、動き低減加工量調整手段５７０は、表示領域サイズに基づく補正量を「＋２０％」に決定して（ステップＳ８０４）処理を終了する。
【０１２７】
表示サイズが閾値Ｓ１よりも大きく、閾値Ｓ２以下でない場合、即ち、表示サイズが閾値Ｓ２よりも大きい場合には（ステップＳ８０２のＮＯ）、動き低減加工量調整手段５７０は、表示領域サイズに基づく補正量を「＋３０％」に決定して（ステップＳ８０３）処理を終了する。
【０１２８】
以上が、図７に示すフローチャートのステップＳ７０３における処理の具体的内容である。なお、本フローチャートにおいて、表示サイズが閾値Ｓ１以下である場合に、補正量を下げる（−１０％とする）のは、この場合には視聴者は映像酔いを発症しにくくなるため、動き量の低減による画像劣化の防止を優先するためである。つまり、映像酔い防止と画像劣化の防止とは互いにトレードオフの関係にあるため、当該処理を実行している。
【０１２９】
図９は、明るさに基づく映像の動き量を低減する低減量の調整量を算出するフローチャートであり、上述のステップＳ７０４における処理の内容を示している。
【０１３０】
明るさ情報５２２を視聴環境情報記憶手段５２０から取得した動き低減加工量調整手段５７０は、当該明るさ情報５２２で示される明るさが閾値Ｌ１以下であるかどうかを判定する（ステップＳ９０１）。
【０１３１】
明るさが閾値Ｌ１以下であった場合には（ステップＳ９０１のＹＥＳ）、動き低減加工量調整手段５７０は、明るさに基づく補正量を「＋３０％」に決定して（ステップＳ９０５）処理を終了する。
【０１３２】
明るさが閾値Ｌ１よりも大きかった場合には（ステップＳ９０１のＮＯ）、動き低減加工量調整手段５０７は、次に、明るさが閾値Ｌ２（Ｌ２＞Ｌ１）以下であるかどうかを判定する（ステップＳ９０２）。
【０１３３】
明るさが閾値Ｌ１よりも大きく、閾値Ｌ２以下である場合には（ステップＳ９０２のＹＥＳ）、動き低減加工量調整手段５７０は、明るさに基づく補正量を「＋１０％」に決定して（ステップＳ９０４）処理を終了する。
【０１３４】
明るさが閾値Ｌ１よりも大きく、閾値Ｌ２以下でない場合、即ち、明るさが閾値Ｌ２よりも大きい場合には（ステップＳ９０２のＮＯ）、動き低減加工量調整手段５７０は、明るさに基づく補正量を「−１０％」に決定して（ステップＳ９０３）処理を終了する。
【０１３５】
以上が、図７に示すフローチャートのステップＳ７０４における処理の具体的内容である。なお、ステップＳ９０５において補正量を下げているのは、上述の図８で説明した理由と同様の理由によるものである。
【０１３６】
図１０は、視聴者位置に基づく映像の動き量を低減する低減量の調整量を算出するフローチャートであり、上述のステップＳ７０５における処理の内容を示している。
【０１３７】
視聴者位置情報５２３を視聴環境情報記憶手段５２０から取得した動き低減加工量調整手段５７０は、当該視聴者位置情報５２３で示される視聴者距離が閾値Ｄ１以下であるかどうかを判定する（ステップＳ１００１）。
【０１３８】
視聴者距離が閾値Ｄ１以下であった場合には（ステップＳ１００１のＹＥＳ）、動き低減加工量調整手段５７０は、視聴者位置に基づく補正量を「＋３０％」に決定して（ステップＳ１００３）処理を終了する。
【０１３９】
視聴者距離が閾値Ｄ１よりも大きかった場合には（ステップＳ１００１のＮＯ）、動き低減加工量調整手段５０７は、視聴者位置に基づく補正量を「−１０％」に決定して（ステップＳ１００２）処理を終了する。
【０１４０】
以上が、図７に示すフローチャートのステップＳ７０５における処理の具体的内容である。なお、ステップＳ１００２において補正量を下げているのは、上述の図８で説明した理由と同様の理由によるものである。
【０１４１】
映像再生装置１００は、図８〜図１０における処理により求められた補正量と、基本低減量とを足し合わせて、最終的な、動き量を調整するための調整低減量が決定され、当該調整低減量に基づいて、動きを低減したあとの動き量に基づいて切り出し領域を決定して表示すべき映像を切り出して、映像表示装置２００に出力する。
＜動き低減加工処理の一例＞
上記図７〜図１０に示したフローチャートに従って動き低減手段５８０が動き低減加工を行った場合の一例を、図１１を用いて説明する。
【０１４２】
動き低減加工手段５８０は、デコード済みの映像データであるデコード映像１１００に対し、動き情報検出手段５３０が検出した動き量を示す動きベクトル１１０６の垂直方向成分１１０７と水平方向成分１１０９とを算出する。
【０１４３】
動き低減加工手段５８０は、算出した垂直方向成分１１０７に、低減量出力手段５７０が出力した垂直成分用の低減量を乗算して、低減すべき動き量の垂直成分１１０８を算出する。
【０１４４】
また、同様に動き低減加工手段５８０は、算出した水平方向成分１１０９に低減量出力手段５７０が出力した水平成分用の低減量を乗算して、低減すべき動き量の水平成分１１１０を算出する。
【０１４５】
即ち、図１１の１１０４が低減すべき動き量となる。
【０１４６】
動き低減加工手段５８０がデコード映像１１００の中心位置１１０１から、１１０４だけずらした位置１１１１を中心とした切り出し（オーバースキャン切り出し領域１１０２の切り出し）処理を行って、オーバースキャン処理を行う。これにより、元のデコード映像１１００は、１１０４の逆方向に動いて表示される。すなわち、元の動きベクトル１１０６から、低減すべき動き量１１０４が減算されデコード映像１１００の動きが低減される。なお、このとき、オーバースキャンによる拡大処理も実行するが、当該拡大処理は、単純な演算であり、従来からも行われていることであるからここではその説明は省略する。
【０１４７】
また、一方向に継続して動作している場合には、ブレ補正におけるパンニング検知、ティルティング検知の処理の場合と同様、単純に動きを打ち消すのではなく、動き始め、動き終わりの打ち消し量を減らすなどの処理も行う。
【０１４８】
以上のように、低減すべき動き量１１０４に基づくオーバースキャン処理が行われて映像が表示されるので、視聴者の映像酔いを低減することができる。
＜まとめ＞
以上実施の形態に示してきたように、映像再生装置１００は、映像表示装置２００から取得した再生映像を視聴する視聴者の視聴者環境に応じて、映像を補正して、表示させるので、画質の劣化は必要最小限に抑えつつも、視聴者の映像酔いを極力抑制することができる。これにより、視聴者の環境に応じた補正を行えるので、従来よりも、ユーザフレンドリィな映像再生装置を提供することができる。
【０１４９】
一般ユーザがハイビジョン解像度にて撮影可能なカメラ一体型録画装置を用いて撮影した映像は、撮影したユーザが不慣れで安定して撮影を行えないなどの理由により、放送やセル販売されている商用コンテンツに比して映像酔いを起こしやすい傾向がある。また、近年、大画面の高画質な薄型テレビも安価になりつつあり、入手しやすくなっているが、視聴者が薄型テレビなど大画面で、高画質な映像を視聴する場合に映像酔いを起こしやすいという傾向もある。本実施の形態に示した映像再生装置は、そのような一般ユーザが撮影した映像を、大画面で視聴する場合に、特に有効となる。
＜補足＞
上記実施の形態において、本発明の実施の手法について説明してきたが、本発明の実施形態がこれに限られないことは勿論である。以下、上記実施形態以外に本発明として含まれる各種の変形例について説明する。
（１）上記実施の形態においては、視聴者環境情報として、表示領域サイズ情報５２１と、明るさ情報５２２と、視聴者位置情報５２３とを例に挙げて説明した。しかし、視聴者環境情報は、視聴者の視聴環境を示す情報であって、映像酔いに関与するものであればよく、上記実施の形態に挙げたもの以外の情報を用いて補正値を求めてもよい。
【０１５０】
例えば、複数の異なる映像を表示する場合、それぞれの映像の動き量は異なるものとなってくるため、その分、視聴者は映像酔いを発症しやすくなる。そこで、視聴者環境情報として異なる映像が再生される場合のその映像数を用いてもよく、映像表示装置２００に表示する映像が複数であるか否かによって、補正量を決定する、即ち、複数の映像を表示させる場合には、低減量の補正量を例えば「＋２０％」、単一の映像を表示する場合には、低減量の補正量を例えば「０」とする補正を行ってもよい。当然に、複数の映像の再生数に応じた閾値によって、補正量をわけてもよい。
【０１５１】
また、視聴者環境情報として、映像表示装置２００のディスプレイの光源、所謂バックライトの照射する明るさの情報を用い、当該明るさの情報によって補正量を定めてもよい。この場合、バックライトの照射する明るさが明るければ明るいほど補正量が大きくなるように設定するとよい。
（２）上記実施の形態においては、映像撮影装置３００であるムービーカメラで撮影した映像を記録媒体ディスク４００に記録し、当該ディスクに書き込まれた映像を読み出して、動き量を補正して再生することとしたが、これは、記録したディスクから読み出すのではなく、映像撮影装置３００と映像再生装置１００とを、例えばＵＳＢケーブルなどを用いて、直接接続して、映像撮影装置の内蔵ＨＤＤから再生対象の映像のデータを映像再生装置１００に直接送信することとしてもよい。
【０１５２】
即ち、本発明に係る映像加工装置が、加工対象とする映像はどのような手法をとって入手されることとしてもよく、例えば、ストリーム配信されてくる映像データでもよい。
（３）上記実施の形態においては、動き低減量の補正値の決定に当たっては、各視聴環境情報によって求まる補正値を、基本低減量に加算することで、最終的な調整低減量を算出することとした。
【０１５３】
しかし、調整低減量の算出方法は、上記実施の形態に示した手法を用いる必要はなく、例えば、各視聴環境情報によって求まる補正値を基本低減量に乗算していくことで調整低減量を求めることとしてもよい。なお、各算出方法に応じて適切な補正値をシミュレートして設定するとよい。
（４）上記実施の形態においては、映像表示装置２００は、センサ２０３を備えることとした。しかし、センサ２０３は、視聴者の視聴環境に関する情報を得るために備えたものであるため、視聴者の視聴環境を得られるのであれば、外付けの機器であってもよく、また、映像表示装置２００ではなく、映像再生装置１００がセンサ２０３を備えることとしてもよい。図１に示したような使用形態であれば、センサ２０３を映像再生装置１００が備えていたとしても、映像表示装置２００にセンサ２０３を備えた場合とほぼ同様の測定結果を得られる。
【０１５４】
また、映像表示装置２００は、通常のディスプレイではなく、例えばプロジェクタなどの映像投影装置であってもよい。この場合、視聴者位置情報は、プロジェクタ位置からスクリーンまでの距離とする。視聴者は、プロジェクタが配される近辺でプロジェクタが投影する映像を視聴することになるためである。また、この場合には、センサを備えずにプロジェクタのフォーカス精度によって、スクリーンまでの距離を測定して、視聴者位置情報とすることとしてもよい。
【０１５５】
また、映像表示装置２００は、ＨＭＤ（Head Mount Display）であってもよい。この場合の、視聴者位置情報は、ＨＭＤ上の仮想スクリーンの焦点位置から算出される距離を仮想的な距離として用いればよい。また、ＨＭＤによっては、外界の明かりが完全に遮蔽されるものもあるので、この場合の明るさ情報は、映像を表示しない部分の明るさをもって、明るさ情報とすればよい。
（５）上記実施の形態においては、映像表示装置２００に備えられたセンサ２０３が定期的に明るさ情報や、視聴者位置情報を、出力することとしたが、これは映像再生装置１００が視聴環境情報を取得できるのであれば、どのような形態であってもよく、例えば、映像再生装置１００から、映像表示装置２００に対して、視聴環境情報を要求し、当該要求に応じて映像表示装置２００は映像再生装置に視聴環境情報を送信する構成としてもよい。
（６）上記実施の形態においては、動き低減量の補正量を決定するための閾値は予め映像再生装置１００に記憶されている構成をとったが、これらの閾値の個数は、上記実施の形態に示した段階数で区切られるものに限定されるものではなく、何段階で区分されてもかまわない。例えば、上記実施の形態においては、表示サイズの閾値は、３つ設けることとしたが、これは、例えば、５つであってもよいし、逆に１つしかなくともよい。
【０１５６】
同様に上記実施の形態に示した動き低減量の補正値の具体例もまた一例であり、図８〜図１０に示されるように視聴者環境情報に応じて映像酔いを防止できる値になっていればよい。
【０１５７】
また、閾値を設けずに、各視聴環境情報とそれぞれの視聴環境情報で示される値に対する補正量を定めた関係式を映像再生装置が記憶しておいて、当該関係式に基づいて補正量を決定してもよい。このとき、表示サイズの場合には、表示サイズが大きければ大きいほど、明るさの場合には、暗ければ暗いほど、視聴者位置の場合には、視聴者位置を示す距離が短ければ短いほど、低減量の補正量が多くなる関係式を保持するものとする。
【０１５８】
更に、映像再生装置１００は、ユーザ入力に従って、その補正値を変更する機構を備えていてもよい。例えば、映像酔いのしやすさについてのパラメータを設けて、視聴者に映像酔いしやすいかどうかを設定させ、映像酔いしやすい視聴者が映像を視聴する場合には、動き低減量の補正値が大きくなるように、映像酔いしにくい視聴者が映像を視聴する場合には、動き低減量の補正値が映像酔いしやすい視聴者の場合に比して小さくするという構成をとってもよい。
（７）上記実施の形態においては映像出力接続の一例としてＨＤＭＩケーブルとその入出力端子を記載しているが、これは、映像出力に用いられるものであればよく、その他にも例えば、コンポジットケーブル、Ｓ端子ケーブル、コンポーネントケーブル、Ｄ端子ケーブルとそれらに対応する入出力端子などであってもよい。
【０１５９】
同様にネットワーク接続についても、上記実施の形態では、ＬＡＮケーブルを用いた接続例を記載したが、Ｅｔｈｅｒｎｅｔ（登録商標）端子及びそのケーブルでの接続のほか、無線ＬＡＮやＢｌｕｅｔｏｏｔｈなどによる接続であってもよい。
（８）上記実施の形態におけるＣＰＵは、１つのＣＰＵで構成されても、複数のＣＰＵで構成されてもよい。
（９）上記実施の形態においては、ディスプレイ２０４の一例としてＬＣＤを記載したが、これは、映像を表示できるものであればよく、例えば、ＰＤＰ（PlasmaDisplay Panel）、ＣＲＴ（Cathode Ray Tube）ディスプレイ、有機ＥＬディスプレイ（organicelectroluminescence display）などであってもよい。
（１０）上記実施の形態においては、視聴者は一人であるという仮定の下で、視聴者と再生装置２００との間の距離を測定して、視聴者位置情報とした。しかし、実際には当然複数の視聴者が映像を視聴することもある。
【０１６０】
この場合、映像再生装置２００のセンサ２０３は、視聴者位置情報としては、最も再生装置２００に近い位置に居る視聴者の位置を視聴者位置情報としてもよい。これは、ディスプレイに近いほど映像酔いを起こしやすいことを考慮した場合の測定方法である。
【０１６１】
あるいは、取得した複数人数の視聴者それぞれの視聴者の位置の平均値を視聴者位置情報としてもよい。
（１１）上記実施の形態においては、垂直方向、水平方向、両方の低減量を一つの基準のみで決定することとしたが、垂直方向、水平方向それぞれで別の補正量となるように、垂直方向、水平方向とで、低減量を決定するためのフローを分けて、垂直方向、水平方向それぞれで調整低減量を決めることとしてもよい。
【０１６２】
つまり、図８〜図１０に示す各フローチャートの補正量は、垂直方向と水平方向とで異なることとしてもよい。このとき、水平方向のぶれよりも垂直方向のぶれの方が視聴者の映像酔いに関与する率が高いことを鑑みて、垂直方向の補正量の方が、水平方向の補正量よりも大きくなるように設定するとよい。
【０１６３】
例えば、図８に示すものが、水平方向に対する補正量を決定するためのフローチャートであるとした場合に、垂直方向に対する補正量を決定するためのフローチャートでは、図８のステップＳ８０３における補正量を「＋５０％」とし、ステップＳ８０４における補正量を「＋３０％」とするとしてもよい。
【０１６４】
なお、低減量を少なくする補正の場合、即ち図８で言えば、ステップＳ８０５の場合においては、垂直方向及び水平方向の補正量は同一のままであってもよい。
（１２）上記実施の形態においては、取得手段５１０は、逐次、視聴者環境情報を取得することとしたが、これは、例えば、据え置き型のデジタルテレビで視聴する場合には、視聴環境はそれほど大きく変化することはないという想定の元で、取得手段５１０は、再生映像を再生するその直前に１回だけ、逐次視聴環境情報を取得することとし、再生映像の再生中では、逐次、視聴環境情報を取得しなくてもよい。
（１３）上記実施の形態においては、図７に示す映像加工処理は、映像再生中に逐次行われることとしたが、視聴者の視聴環境が変化しないのであれば、映像を再生する前に、再生すべき映像全ての加工を終え、当該加工後の映像データを記憶しておき、それを再生することとしてもよい。
（１４）上記実施の形態における映像加工手段５００は、図５に示すその他の機能部あるいは全ての機能部を含んだ構成としてもよく、当該構成は１つの専用回路、集積回路により実現されてもよい。
（１５）上記実施の形態においては、映像再生装置１００や映像撮影装置３００は、ドライブ１０５を備えて、記録媒体ディスク４００から映像データの読み出しや書き込みを行う構成となっている。しかし、ドライブは、映像データを記録している記録媒体からの読み出し、記録媒体への書き込みを行う機能を有するものであればよく、また、記録媒体ディスクもディスクに限るものでなくともよい。
【０１６５】
例えば、ドライブに代えて、ＵＳＢメモリインターフェースを用い、記録媒体ディスクは、ＵＳＢフラッシュメモリであってもよいし、ドライブに代えて、カードリードライタを用い、記録媒体ディスクは、ＳＤメモリカードであってもよい。
【０１６６】
また、映像再生装置１００や、映像撮影装置３００は、記録媒体とアクセスするためのインターフェースは、これらのうちの１つだけではなく複数を備えていてもよい。
（１６）上記実施の形態においては、映像加工手段は、ＣＰＵがプログラムを実行することで、ソフトウェア処理による低減処理を実行することとした。
【０１６７】
しかし、上記映像加工手段に示される各機能部は、上記図７〜１０のフローチャートに示した動作を実行する専用回路によって実現されてもよい。当該専用回路は集積化されていてもよい。
【０１６８】
同様に、映像再生装置１００、映像表示装置２００、映像撮影装置３００の各機能部は集積化されて１又は複数のＬＳＩ（Large Scale Integration）により実現されてもよい。また、複数の機能部が１のＬＳＩにより実現されてもよい。
【０１６９】
ＬＳＩは集積度の違いにより、ＩＣ（Integrated Circuit）、システムＬＳＩ、ＶＬＳＩ（Very Large Scale Integration）、ＳＬＳＩ（SuperLarge Scale Integration）、ＵＬＳＩ（Ultra Large Scale Integration）などと呼称されることもある。
【０１７０】
また、集積回路化の手法はＬＳＩに限られるものではなく、専用回路または汎用プロセッサで実現しても良い。ＬＳＩ製造後に、プログラムすることが可能なＦＰＧＡ（FieldProgrammable Gate Array）や、ＬＳＩ内部の回路セルの接続や設定を再構成可能なリコンフィギュラブル・プロセッサを利用しても良い。
【０１７１】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
（１７）上述の実施形態で示した映像加工に係る動作、映像加工処理等（図７〜図１０参照）を映像再生装置等のプロセッサ、及びそのプロセッサに接続された各種回路に実行させるためのプログラムコードからなる制御プログラムを、記録媒体に記録すること、又は各種通信路（例えば、電気通信回線、無線または有線通信回線、インターネットを代表とするネットワーク）等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【０１７２】
本発明に係る映像再生装置は、デジタルビデオカメラなどを利用して撮影された撮影映像を再生する際の映像酔いが少ない機器として、ＤＶＤプレーヤ、ＢＤプレーヤなどの光ディスクプレーヤやデジタルビデオカメラ等に活用することができる。
【符号の説明】
【０１７３】
１００  映像再生装置
１０１  ＣＰＵ
１０２  メモリ
１０３  ＨＤＭＩ
１０４  ネットワーク通信部
１０５  ドライブ
１０６  デコーダ
１０７  映像処理部
１０８  内部バス
２００  映像表示装置
２０１  ＣＰＵ
２０２  メモリ
２０３  センサ
２０４  ディスプレイ
２０５  ＨＤＭＩ
２０６  ネットワーク通信部
２０７  内部バス
３００  映像撮影装置
３０１  ＣＰＵ
３０２  メモリ
３０３  加速度センサ
３０４  ドライブ
３０５  デコーダ
３０６  エンコーダ
３０７  カメラ
３０８  内部バス
４００  記録媒体ディスク
５００  映像加工手段
５１０  取得手段
５２０  視聴環境情報記憶手段
５２１  表示領域サイズ情報
５２２  明るさ情報
５２３  視聴者位置情報
５３０  動き情報検出手段
５４０  記憶手段
５５０  映像再生手段
５６０  映像バッファ
５７０  低減量出力手段
５８０  動き低減加工手段
５９０  映像出力手段
６００  映像加工手段
６１０  撮影手段
６２０  ブレ低減手段
６３０  ブレ情報検出手段
６４０  映像バッファ
６５０  映像符号化手段
６６０  低減済みブレ情報記憶手段
６７０  映像記録手段
６８０  ブレ情報記録手段
６９０  記憶手段
【手続補正２】
【補正対象書類名】特許請求の範囲
【補正対象項目名】全文
【補正方法】変更
【補正の内容】
【特許請求の範囲】
【請求項１】
再生される映像を加工する映像加工装置であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段を備える
ことを特徴とする映像加工装置。
【請求項２】
前記低減量出力手段は、予め定められた基本低減量を前記視聴環境情報で定まる補正値を用いて調整した調整低減量を前記低減量として出力する
ことを特徴とする請求項１記載の映像加工装置。
【請求項３】
前記視聴環境情報は、前記再生映像を再生する表示装置の映像表示領域のサイズ情報を含み、
前記低減量出力手段は、前記サイズ情報に応じて、前記基本低減量を調整する
ことを特徴とする請求項２記載の映像加工装置。
【請求項４】
前記低減量出力手段は、前記サイズ情報で示される映像表示領域のサイズが予め定められた所定のサイズよりも大きい場合に、前記基本低減量を増加する調整を実行する
ことを特徴とする請求項３記載の映像加工装置。
【請求項５】
前記低減量出力手段は、前記サイズ情報で示される映像表示領域のサイズが大きければ大きいほど前記基本低減量を増加させる調整を実行する
ことを特徴とする請求項３記載の映像加工装置。
【請求項６】
前記低減量出力手段は、前記低減量出力手段は、前記サイズ情報で示される映像表示領域のサイズが大きければ大きいほど、前記動き量の水平成分よりも垂直成分をより大きく前記基本低減量を増加させる調整を実行する
ことを特徴とする請求項３記載の映像加工装置。
【請求項７】
前記視聴環境情報は、前記再生映像を再生する表示装置の周囲の明るさを示す明るさ情報を含み、
前記低減量出力手段は、前記明るさ情報に応じて、前記基本低減量を調整する
ことを特徴とする請求項２記載の映像加工装置。
【請求項８】
前記低減量出力手段は、前記明るさ情報で示される明るさが所定の閾値よりも暗ければ前記基本低減量を増加させる調整を実行する
ことを特徴とする請求項７記載の映像加工装置。
【請求項９】
前記低減量出力手段は、前記明るさ情報で示される明るさが暗ければ暗いほど前記基本低減量を増加させる調整を実行する
ことを特徴とする請求項７記載の映像加工装置。
【請求項１０】
前記低減量出力手段は、前記動き量で示される水平成分と垂直成分とについて、前記動き量の垂直成分の低減量が水平成分の低減量よりも大きくなるように前記基本低減量を調整する
ことを特徴とする請求項７記載の映像加工装置。
【請求項１１】
前記視聴環境情報は、前記再生映像を視聴する視聴者と前記再生映像を再生する表示装置との間の距離に関する視聴者位置情報を含み、
前記低減量出力手段は、前記視聴者位置情報に応じて、前記基本低減量を調整する
ことを特徴とする請求項２記載の映像加工装置。
【請求項１２】
前記低減量出力手段は、前記視聴者位置情報で示される距離が所定の閾値よりも短ければ前記基本低減量を増加させる調整を実行する
ことを特徴とする請求項１２記載の映像加工装置。
【請求項１３】
前記低減量出力手段は、前記視聴者位置情報で示される距離が短ければ短いほど前記基本低減量を増加させる調整を実行する
ことを特徴とする請求項１２記載の映像加工装置。
【請求項１４】
前記低減量出力手段は、前記視聴者位置情報で示される距離が短ければ短いほど、前記動き量の垂直成分の低減量が水平成分の低減量よりもより大きくなるように前記基本低減量を調整する
ことを特徴とする請求項１２記載の映像加工装置。
【請求項１５】
前記低減量出力手段は、前記動き量で示される水平成分と垂直成分とについて、前記基本低減量は、垂直成分用のものと水平成分用のものの２種類を含み、前記垂直成分用の基本低減量は、前記水平成分用の低減量よりも大きい
ことを特徴とする請求項２記載の映像加工装置。
【請求項１６】
前記映像加工装置は、更に、前記記録媒体に記録された映像に対してオーバースキャンを行う際に、前記調整低減量に基づく低減を行った動き量によって定まる切り出し領域を切り出して出力する出力手段を備える
ことを特徴とする請求項１記載の映像加工装置。
【請求項１７】
映像再生装置が再生する映像を加工する映像加工方法であって、
再生映像における２以上のフレーム間の動きに関する動き情報を取得する動き情報取得ステップと、
前記再生映像を視聴する視聴者の視聴環境を示す視聴環境情報を取得する視聴環境情報取得ステップと、
前記視聴環境情報に基づいて、前記動き情報で定まる動き量を低減するための低減量を出力する低減量出力ステップと、
前記低減量を用いて、前記再生映像を加工する加工ステップとを含む
ことを特徴とする映像加工方法。
【請求項１８】
再生される映像を加工する映像加工集積回路であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段を備える
ことを特徴とする映像加工集積回路。
【請求項１９】
再生される映像を加工して出力する映像再生装置であって、
再生映像における２以上のフレーム間の動きに関する動き情報を取得する動き情報取得手段と、
前記再生映像を視聴する視聴者の視聴環境を示す視聴環境情報を取得する視聴環境情報取得手段と、
前記視聴環境情報に基づいて、前記動き情報で定まる動き量を低減するための低減量を出力する低減量出力手段と、
前記低減量を用いて、前記再生映像を加工する加工手段と、
前記加工手段により加工された再生映像を出力する出力手段とを備える
ことを特徴とする映像再生装置。
【手続補正３】
【補正対象書類名】図面
【補正対象項目名】全図
【補正方法】変更
【補正の内容】
【図１】
2010109900.tif 000014
【図２】
2010109900.tif 000015
【図３】
2010109900.tif 000016
【図４】
2010109900.tif 000017
【図５】
2010109900.tif 000018
【図６】
2010109900.tif 000019
【図７】
2010109900.tif 000020
【図８】
2010109900.tif 000021
【図９】
2010109900.tif 000022
【図１０】
2010109900.tif 000023
【図１１】
2010109900.tif 000024
【国際調査報告】
2010109900.tif 000025
2010109900.tif 000026